(57)【特許請求の範囲】
【請求項１】
ＣＱＩの算出のための第１の参照信号をサブフレームに配置し、ＣＱＩの算出のための第２の参照信号をすべてのサブフレームに配置する配置部と、
配置された前記第１の参照信号を、第１の通信システムに対応する第１の端末に送信し、配置された前記第２の参照信号を、前記第１の端末及び第２の通信システムに対応する第２の端末に送信する送信部と、
を有し、
前記第１の参照信号は、前記第１の参照信号の一リソースブロックあたりのシンボル数が、前記第２の参照信号の一リソースブロックあたりのシンボル数よりも少なくなるように配置され、
前記第１の参照信号は、フィジカル・ブロードキャスト・チャネル（ＰＢＣＨ）又はシステム・インフォメーション・ブロック１（ＳＩＢ１）の送信と重なるサブフレームでは送信されない、
通信装置。
【請求項２】
前記配置部は、データの復調のための第３の参照信号を、前記データが配置されたリソースブロックに配置し、
前記送信部は、配置された前記第３の参照信号を、前記第１の端末に送信する、
請求項１に記載の通信装置。
【請求項３】
前記第３の参照信号は、端末に固有の参照信号である、
請求項２に記載の通信装置。
【請求項４】
前記第２の参照信号は、セルに固有の参照信号である、
請求項１から３のいずれかに記載の通信装置。
【請求項５】
前記第２の参照信号は、ＰＢＣＨ又は下り制御チャネルの復調に用いられる、
請求項１から４のいずれかに記載の通信装置。
【請求項６】
前記第１の通信システムにおいて前記第１の端末が対応する基地局のアンテナポートの最大数が、前記第２の通信システムにおいて前記第２の端末が対応する基地局のアンテナポートの最大数よりも大きい、
請求項１から５のいずれかに記載の通信装置。
【請求項７】
前記第１の通信システムはＬＴＥ−Ａｄｖｅｎｃｅｄであり、前記第２の通信システムはＬＴＥである、
請求項１から６のいずれかに記載の通信装置。
【請求項８】
前記第１の参照信号は、所定の周期で、配置される、
請求項１から７のいずれかに記載の通信装置。
【請求項９】
前記第１の参照信号は、ＨＡＲＱにおける再送間隔若しくはＨＡＲＱプロセス数と同一の間隔、ＨＡＲＱにおける再送間隔若しくはＨＡＲＱプロセス数の整数倍の間隔、又は、ＨＡＲＱにおける再送間隔若しくはＨＡＲＱプロセス数の１／Ｎ（Ｎは正の整数）の間隔で、配置される、
請求項１から８のいずれかに記載の通信装置。
【請求項１０】
前記第１の参照信号は、ＣＱＩを報告する周期と同一の周期、又は、ＣＱＩを報告する周期の整数倍の周期で、配置される、
請求項１から９のいずれかに記載の通信装置。
【請求項１１】
前記第１の参照信号は、ＳＰＳ送信周期と同一の周期、又は、ＳＰＳ送信周期の１／Ｎ（Ｎは正の整数）の周期で、配置される、
請求項１から１０のいずれかに記載の通信装置。
【請求項１２】
前記第１の参照信号は、セルに固有の参照信号である、
請求項１から１１のいずれかに記載の通信装置。
【請求項１３】
前記第１の参照信号は、ＣＳＩ−ＲＳである、
請求項１から１２のいずれかに記載の通信装置。
【請求項１４】
ＣＱＩの算出のための第１の参照信号をサブフレームに配置し、
ＣＱＩの算出のための第２の参照信号をすべてのサブフレームに配置し、
配置された前記第１の参照信号を、第１の通信システムに対応する第１の端末に送信し、
配置された前記第２の参照信号を、前記第１の端末及び第２の通信システムに対応する第２の端末に送信し、
前記第１の参照信号は、前記第１の参照信号の一リソースブロックあたりのシンボル数が、前記第２の参照信号の一リソースブロックあたりのシンボル数よりも少なくなるように配置され、
前記第１の参照信号は、フィジカル・ブロードキャスト・チャネル（ＰＢＣＨ）又はシステム・インフォメーション・ブロック１（ＳＩＢ１）の送信と重なるサブフレームでは送信されない、
通信方法。
【請求項１５】
ＣＱＩの算出のための第１の参照信号をサブフレームに配置し、ＣＱＩの算出のための第２の参照信号をすべてのサブフレームに配置する処理と、
配置された前記第１の参照信号を、第１の通信システムに対応する第１の端末に送信し、配置された前記第２の参照信号を、前記第１の端末及び第２の通信システムに対応する第２の端末に送信する処理と、
を制御し、
前記第１の参照信号は、前記第１の参照信号の一リソースブロックあたりのシンボル数が、前記第２の参照信号の一リソースブロックあたりのシンボル数よりも少なくなるように配置され、
前記第１の参照信号は、フィジカル・ブロードキャスト・チャネル（ＰＢＣＨ）又はシステム・インフォメーション・ブロック１（ＳＩＢ１）の送信と重なるサブフレームでは送信されない、
集積回路。
【発明の詳細な説明】
【技術分野】
【０００１】
本発明は、無線通信装置及び無線通信方法に関する。
【背景技術】
【０００２】
3GPP-LTEでは、下り回線の通信方式としてＯＦＤＭＡ（Orthogonal Frequency Division Multiple Access）が採用されている。3GPP-LTEでは、無線通信基地局装置（以下、基地局と省略する）が予め定められた通信リソースを用いて参照信号（Reference Signal：ＲＳ）を送信し、無線通信端末装置（以下、端末と省略する）は受信した参照信号を用いてチャネル推定を行ってデータを復調する（非特許文献１参照）。また、端末は、参照信号を用いて適応ＭＣＳ（Modulation and channel Coding Scheme）制御、ＭＩＭＯ（Multiple-Input Multiple-Output）伝送におけるＰＭＩ（Precoding Matrix Indicator）制御または適応スケジューリングのための受信品質の測定を行う。そして、端末は得られるＰＭＩおよび受信品質情報（ＣＱＩ：Channel Quality Indicator）を基地局へフィードバックする。
【０００３】
また、基地局が複数のアンテナを備えている場合、基地局はダイバーシチ送信を行うことが可能である。例えば、基地局は複数のアンテナから複数のデータストリームを送信（ＭＩＭＯ送信）することにより、高速伝送が可能となる。このようにしてダイバーシチ送信された信号を端末が誤りなく受信するためには、端末は、基地局での送信に用いられたアンテナ群から端末までのチャネル状態を知る必要がある。従って、基地局に備えられるすべてのアンテナからＲＳが互いに干渉なく送信される必要がある。これを実現するために3GPP-LTEでは、基地局の各アンテナから、時間領域および周波数領域で互いに異なるタイミングおよびキャリア周波数を用いてＲＳが送信される方法を採用している。
【０００４】
図１に3GPP-LTEで想定されている４アンテナの基地局（4Tx基地局）の構成を示し、図２に4Tx基地局におけるＲＳ送信方法を示す（非特許文献２参照）。ただし、図２において、縦軸（周波数領域）はサブキャリア単位であり、横軸（時間領域）はＯＦＤＭシンボル単位である。また、Ｒ０,Ｒ１,Ｒ２,Ｒ３はそれぞれアンテナ０,１,２,３（１番目,２番目,３番目,４番目のアンテナ）から送信されるＲＳを示す。また、図２において、太線の枠で囲まれた１つのブロック（周波数領域で６サブキャリア、時間領域で１４ＯＦＤＭシンボル）の単位をリソースブロック（Resource Block：ＲＢ）と呼ぶ。なお、3GPP-LTEでは、１ＲＢが１２サブキャリアで構成されるが、ここでは説明を簡略するために、１ＲＢを構成するサブキャリア数を６サブキャリアとする。また、１ＲＢを構成する１サブキャリア×１ＯＦＤＭシンボルの単位をリソースエレメント（ＲＥ：Resource Element）と呼ぶ。図２から分かるように、4Tx基地局では、ＲＳ送信にかかるオーバーヘッドを最小限に抑えるため、アンテナ２（３番目のアンテナ）、アンテナ３（４番目のアンテナ）からのＲＳ（Ｒ２およびＲ３）の送信頻度を減少させている。
【０００５】
なお、図２に示すＲＳは基地局がカバーするセル内のすべての端末に対して共通であり、セル固有ＲＳ（Cell Specific Reference Signal）と呼ばれる。また、基地局では、ビームフォーミング送信のために、端末毎に固有のウェイトを乗じたＲＳ（端末固有ＲＳ（UE Specific Reference Signal））が追加で送信されることもある。
【０００６】
上記のとおり、3GPP-LTEにおける基地局のアンテナ数は最大４本であり、3GPP-LTEに対応する端末は、最大４つのアンテナを具備する基地局（4Tx基地局）から送信されたＲＳ（図２に示すＲ０〜Ｒ３）を用いて、データの復調および下り信号の品質測定を行う。
【０００７】
これに対し、3GPP-LTEの発展形であるLTE-advancedでは、最大８つのアンテナを具備する基地局（8Tx基地局）が検討されている。ただし、LTE-advancedでも、3GPP-LTEにおける基地局（4Tx基地局）のみに対応する端末が通信できるようにするために、3GPP-LTEに則した基地局を提供する必要がある。換言すれば、LTE-advancedでは、4Tx基地局のみに対応する端末（以下、LTE端末という）および8Tx基地局にも対応する端末（以下、LTE+端末という。またはLTE-advanced端末と称してもよい）の双方を収容することが要求されている。
【先行技術文献】
【非特許文献】
【０００８】
【非特許文献１】3GPP TS 36.213 V8.2.0 (ftp://ftp.3gpp.org/specs/2008-03/Rel-8/36_series/36213-820.zip)
【非特許文献２】3GPP TS 36.211 V8.2.0 (ftp://ftp.3gpp.org/specs/2008-03/Rel-8/36_series/36211-820.zip)
【発明の概要】
【発明が解決しようとする課題】
【０００９】
LTE-advancedにおいて、ダイバーシチ送信された信号をLTE+端末が誤りなく受信するためには、基地局は８アンテナ分のＲＳを送信する必要がある。例えば、図３に示すように、すべてのＲＢに、８アンテナ分のＲＳであるＲ０〜Ｒ７を配置することが考えられる。これにより、LTE+端末は信号を誤りなく受信することができる。さらに、端末では、各アンテナのＣＱＩおよびＰＭＩをサブフレーム毎に得ることができるため、ＭＩＭＯ伝送によりスループットを向上することができる。
【００１０】
しかしながら、LTE端末は図２に示すＲＳ（Ｒ０〜Ｒ３）の配置位置しか把握していない。つまり、LTE端末は、LTE+端末のみで用いるＲＳ、すなわち、図３に示すＲ４〜Ｒ７の存在を知らない。そのため、LTE端末は、LTE+端末のみで用いるＲＳ（Ｒ４〜Ｒ７）が配置されたＲＥでは、データ信号が配置されたと認識して信号を受信する。このように、LTE端末とLTE+端末とが共存する場合、LTE端末は信号を正しく受信できない場合がある。その結果、LTE端末の誤り率特性およびスループットが劣化してしまう。
【００１１】
本発明の目的は、LTE端末とLTE+端末とが共存する場合でも、LTE端末のスループットが劣化することを防ぐことができる無線通信装置及び無線通信方法を提供することである。
【課題を解決するための手段】
【００１２】
本発明の無線通信装置は、ＣＱＩの算出のための第１の参照信号をサブフレームに配置する配置部と、配置された前記第１の参照信号を、第１の端末に送信する送信部と、を有し、前記第１の参照信号は、フィジカル・ブロードキャスト・チャネル（ＰＢＣＨ）又はシステム・インフォメーション・ブロック１（ＳＩＢ１）の送信と重なるサブフレームでは送信されない、構成を採る。
【００１３】
本発明の無線通信方法は、ＣＱＩの算出のための第１の参照信号をサブフレームに配置し、配置された前記第１の参照信号を、第１の端末に送信し、前記第１の参照信号は、フィジカル・ブロードキャスト・チャネル（ＰＢＣＨ）又はシステム・インフォメーション・ブロック１（ＳＩＢ１）の送信と重なるサブフレームでは送信されない、ようにした。
【発明の効果】
【００１４】
本発明によれば、LTE端末とLTE+端末とが共存する場合でも、LTE端末のスループットが劣化することを防ぐことができる。
【図面の簡単な説明】
【００１５】
【図１】従来の4Tx基地局の構成を示すブロック図
【図２】従来の4Tx基地局におけるＲＳ送信方法を示す図
【図３】従来の8Tx基地局におけるＲＳ送信方法を示す図
【図４】本発明の実施の形態１に係る基地局の構成を示すブロック図
【図５】本発明の実施の形態１に係るLTE+端末の構成を示すブロック図
【図６】本発明の実施の形態１に係るLTE端末およびLTE+端末の双方で用いるＲＳのみが配置されるＲＢを示す図
【図７】本発明の実施の形態１に係るLTE+端末のみで用いるＲＳが配置されるＲＢを示す図
【図８】本発明の実施の形態１に係るＲＳの配置パターンを示す図（配置方法１）
【図９】本発明の実施の形態１に係るＲＳの配置パターンを示す図（配置方法１）
【図１０】本発明の実施の形態１に係るＲＳの配置パターンを示す図（配置方法１）
【図１１】本発明の実施の形態１に係るＲＳの配置パターンを示す図（配置方法２）
【図１２】本発明の実施の形態１に係るＲＳの配置パターンを示す図（配置方法２）
【図１３】本発明の実施の形態１に係るＲＳの配置パターンを示す図（配置方法３）
【図１４】本発明の実施の形態３に係る課題を示す図
【図１５】本発明の実施の形態３に係るＲＳの配置パターンを示す図
【図１６】本発明の実施の形態４に係る課題を示す図
【図１７】本発明の実施の形態４に係るＲＳの配置パターンを示す図
【図１８】本発明の実施の形態４に係るＲＳの他の配置パターンを示す図
【図１９】本発明の実施の形態５に係るＲＳの配置パターンを示す図
【図２０】本発明の実施の形態６に係るＲＳの配置パターンを示す図
【図２１】本発明の実施の形態６に係るＲＳの他の配置パターンを示す図
【図２２】本発明の実施の形態６に係るＲＳの他の配置パターンを示す図
【図２３】本発明の実施の形態７に係るＲＳの配置パターンを示す図
【図２４】本発明の実施の形態８に係るＲＳの配置パターンを示す図
【図２５】本発明の実施の形態８に係るＲＳの他の配置パターンを示す図
【発明を実施するための形態】
【００１６】
以下、本発明の実施の形態について、添付図面を参照して詳細に説明する。以下の説明では、基地局は８本のアンテナを有し、LTE端末およびLTE+端末に対して送信データを送信する。また、１フレームは複数のサブフレームに分けられる。また、１サブフレームの複数のサブキャリアが複数のＲＢに分割される。つまり、１ＲＢは、１サブフレームの一部のサブキャリアで構成される。
【００１７】
（実施の形態１）
本実施の形態に係る基地局１００の構成を図４に示す。
【００１８】
基地局１００において、符号化・変調部１０１は、送信データのための符号化部１１および変調部１２を、基地局１００が通信可能な端末の数Ｎだけ備える。符号化・変調部１０１において、符号化部１１−１〜１１−Ｎは、端末１〜Ｎの送信データに対して符号化処理を行い、変調部１２−１〜１２−Ｎは、符号化後の送信データに対して変調処理を行
ってデータシンボルを生成する。なお、符号化・変調部１０１は、復号部１１８−１〜１１８−Ｎから入力されるＣＱＩ情報に基づいて、符号化部１１および変調部１２それぞれの符号化率および変調方式（すなわち、ＭＣＳ）を決定する。
【００１９】
符号化・変調部１０２において、符号化部１３は、LTE+端末のみで用いるセル固有ＲＳの配置パターンを示す情報（ＲＳ配置情報）に対して符号化処理を行い、変調部１４は、符号化後のＲＳ配置情報に対して変調処理を行ってＲＳ配置情報シンボルを生成する。ここで、基地局１００は、ＲＳ配置情報を、ＢＣＨ（Broadcast Channel）信号を用いて、基地局１００がカバーするセル内のすべてのLTE+端末に報知してもよい。
【００２０】
割当部１０３は、復号部１１８−１〜１１８−Ｎから入力されるＣＱＩ情報に従って、データシンボルおよびＲＳ配置情報シンボルを、ＯＦＤＭシンボルを構成する各サブキャリアに割り当ててマッピング部１０４に出力する。
【００２１】
マッピング部１０４は、割当部１０３から入力される各シンボルを、アンテナ１１０−１〜１１０−８にそれぞれマッピングする。また、マッピング部１０４は、復号部１１８−１〜１１８−Ｎから入力されるＰＭＩ情報に基づいて、各アンテナで用いるPrecodingベクトルを選択する。そして、マッピング部１０４は、選択されたPrecodingベクトルを、各アンテナにマッピングされたシンボルに乗算する。そして、マッピング部１０４は、各アンテナにマッピングされたシンボルを配置部１０６に出力する。
【００２２】
設定部１０５は、ＲＳ配置情報に基づいて、アンテナ１１０−５〜１１０−８からそれぞれ送信されるセル固有ＲＳ（Ｒ４〜Ｒ７）を配置するＲＢをサブフレーム毎に設定する。具体的には、設定部１０５は、LTE+端末のみで用いるセル固有ＲＳ（Ｒ４〜Ｒ７）の配置位置を示す配置パターンに基づいて、セル固有ＲＳを配置するＲＢを複数のサブフレーム毎に設定する。ここで、設定部１０５が用いる配置パターンでは、LTE端末およびLTE+端末の双方で用いるセル固有ＲＳ（Ｒ０〜Ｒ３）が、１フレーム内のすべてのＲＢに配置され、LTE+端末のみで用いるセル固有ＲＳ（Ｒ４〜Ｒ７）が、１フレーム内の一部のＲＢに配置されている。そして、設定部１０５は、設定結果を配置部１０６に出力する。
【００２３】
配置部１０６は、マッピング部１０４から入力される各アンテナにマッピングされたシンボルに、セル固有ＲＳ（Ｒ０〜Ｒ７）をそれぞれ付加する。具体的には、配置部１０６は、アンテナ１１０−１〜１１０−４にマッピングされたシンボルにおいて、LTE端末およびLTE+端末の双方で用いるセル固有ＲＳ（Ｒ０〜Ｒ３）を１フレーム内のすべてのＲＢに配置する。一方、配置部１０６は、アンテナ１１０−５〜１１０−８にマッピングされたシンボルにおいて、設定部１０５から入力される設定結果に基づいて、LTE+端末のみで用いるセル固有ＲＳ（Ｒ４〜Ｒ７）を、設定された一部のＲＢに配置する。また、配置部１０６は、設定部１０５から入力される設定結果に示されるＲＢ以外のＲＢにLTE+端末宛ての送信データが割り当てられた場合、端末固有ＲＳをＲＢに配置する。例えば、配置部１０６は、Ｒ４〜Ｒ７を端末固有ＲＳとして用いる。なお、配置部１０６は、端末固有のウェイトを乗じたＲ４〜Ｒ７を用いてもよい。そして、配置部１０６は、ＲＳ配置後のシンボル列をＩＦＦＴ（Inverse Fast Fourier Transform）部１０７−１〜１０７−８に出力する。
【００２４】
ＩＦＦＴ部１０７−１〜１０７−８、ＣＰ（Cyclic Prefix）付加部１０８−１〜１０８−８および無線送信部１０９−１〜１０９−８はアンテナ１１０−１〜１１０−８にそれぞれ対応して備えられる。
【００２５】
ＩＦＦＴ部１０７−１〜１０７−８は、シンボルが割り当てられたＲＢを構成する複数のサブキャリアに対してＩＦＦＴを行って、マルチキャリア信号であるＯＦＤＭシンボル
を生成する。そして、ＩＦＦＴ部１０７−１〜１０７−８は、生成したＯＦＤＭシンボルをＣＰ付加部１０８−１〜１０８−８にそれぞれ出力する。
【００２６】
ＣＰ付加部１０８−１〜１０８−８は、ＯＦＤＭシンボルの後尾部分と同じ信号をＣＰとしてＯＦＤＭシンボルの先頭に付加する。
【００２７】
無線送信部１０９−１〜１０９−８は、ＣＰ付加後のＯＦＤＭシンボルに対しＤ／Ａ変換、増幅およびアップコンバート等の送信処理を行ってアンテナ１１０−１〜１１０−８から各端末へ送信する。すなわち、基地局１００はアンテナ１１０−１〜１１０−８から複数のデータストリームを送信する。
【００２８】
一方、無線受信部１１１は、最大Ｎ個の端末から同時に送信されたＮ個の信号をアンテナ１１０−１〜１１０−８を介して受信し、これらの信号に対しダウンコンバート、Ａ／Ｄ変換等の受信処理を行う。
【００２９】
ＣＰ除去部１１２は、受信処理後の信号からＣＰを除去する。
【００３０】
ＦＦＴ（Fast Fourier Transform）部１１３は、ＣＰ除去後の信号に対してＦＦＴを行って、周波数領域で多重された端末毎の信号を得る。ここで、端末毎の信号にはそれぞれ、各端末のデータ信号と、各端末のＣＱＩ情報およびＰＭＩ情報を含む制御情報とが含まれている。
【００３１】
分離部１１４は、ＦＦＴ部１１３から入力される各端末の信号を、各端末のデータ信号および制御情報に分離する。そして、分離部１１４は、端末１〜Ｎのデータ信号を復調部１１５−１〜１１５−Ｎにそれぞれ出力し、端末１〜Ｎの制御情報を復調部１１７−１〜１１７−Ｎにそれぞれ出力する。
【００３２】
基地局１００は、復調部１１５−１〜１１５−Ｎ、復号部１１６−１〜１１６−Ｎ、復調部１１７−１〜１１７−Ｎおよび復号部１１８−１〜１１８−Ｎを、基地局１００が通信可能な端末の数Ｎだけ備える。
【００３３】
復調部１１５−１〜１１５−Ｎは、分離部１１４から入力されるデータ信号に対して復調処理を行い、復号部１１６−１〜１１６−Ｎは、復調後のデータ信号に対して復号処理を行う。これにより、端末毎の受信データが得られる。
【００３４】
復調部１１７−１〜１１７−Ｎは、分離部１１４から入力される制御情報に対して復調処理を行い、復号部１１８−１〜１１８−Ｎは、復調後の制御情報に対して復号処理を行う。そして、復号部１１８−１〜１１８−Ｎは、制御情報のうちＣＱＩ情報およびＰＭＩ情報を符号化・変調部１０１、割当部１０３およびマッピング部１０４に出力する。
【００３５】
次に、本実施の形態に係る端末２００（LTE+端末）について説明する。本実施の形態に係る端末２００の構成を図５に示す。
【００３６】
図５に示す端末２００において、無線受信部２０２−１〜２０２−８、ＣＰ除去部２０３−１〜２０３−８、ＦＦＴ部２０４−１〜２０４−８および抽出部２０５−１〜２０５−８は、アンテナ２０１−１〜２０１−８にそれぞれ対応して備えられる。
【００３７】
無線受信部２０２−１〜２０２−８は、基地局１００（図４）から送信されたＯＦＤＭシンボルをアンテナ２０１−１〜２０１−８を介して受信し、これらのＯＦＤＭシンボルに対しダウンコンバート、Ａ／Ｄ変換等の受信処理を行う。
【００３８】
ＣＰ除去部２０３−１〜２０３−８は、受信処理後のＯＦＤＭシンボルからＣＰを除去する。
【００３９】
ＦＦＴ部２０４−１〜２０４−８は、ＣＰ除去後のＯＦＤＭシンボルに対してＦＦＴを行って、周波数領域の信号を得る。
【００４０】
抽出部２０５−１〜２０５−８は、復号部２１１から入力されるＲＳ配置情報に基づいて、ＦＦＴ部２０４−１〜２０４−８から入力される信号からセル固有ＲＳ（Ｒ０〜Ｒ７）および端末固有ＲＳ（例えば、端末固有のウェイトを乗じたＲ４〜Ｒ７）を抽出する。そして、抽出部２０５−１〜２０５−８は、セル固有ＲＳをチャネル推定部２０６および測定部２１２に出力し、端末固有ＲＳをチャネル推定部２０６に出力する。また、抽出部２０５−１〜２０５−８は、ＦＦＴ部２０４−１〜２０４−８から入力される信号を空間受信処理部２０７に出力する。なお、端末２００は、ＲＳ配置情報が含まれるＢＣＨ信号を基地局１００から受信することで、ＲＳ配置情報を取得してもよい。
【００４１】
チャネル推定部２０６は、抽出部２０５−１〜２０５−８から入力されるセル固有ＲＳおよび端末固有ＲＳを用いてチャネル推定を行い、チャネル推定結果を空間受信処理部２０７に出力する。
【００４２】
空間受信処理部２０７は、チャネル推定部２０６から入力されるチャネル推定結果を用いて、抽出部２０５−１〜２０５−８からそれぞれ入力される信号、つまり、アンテナ２０１−１〜２０１−８でそれぞれ受信した信号に対して、空間分離処理を行う。そして、空間受信処理部２０７は、分離されたデータストリームのうち、データ信号を復調部２０８に出力し、ＲＳ配置情報を復調部２１０に出力する。
【００４３】
復調部２０８は、空間受信処理部２０７から入力されるデータ信号に対して復調処理を行い、復号部２０９は、復調後のデータ信号に対して復号処理を行う。これにより、受信データが得られる。
【００４４】
復調部２１０は、空間受信処理部２０７から入力されるＲＳ配置情報に対して復調処理を行い、復号部２１１は、復調後のＲＳ配置情報に対して復号処理を行う。そして、復号部２１１は、復号後のＲＳ配置情報を抽出部２０５−１〜２０５−８に出力する。
【００４５】
一方、測定部２１２は、抽出部２０５−１〜２０５−８から入力されるセル固有ＲＳ（Ｒ０〜Ｒ７）を用いて、アンテナ２０１−１〜２０１−８毎のＣＱＩの測定および、良好な受信品質を得るためのＰＭＩの推定を行う。そして、測定部２１２は、測定したＣＱＩを示すＣＱＩ情報および推定したＰＭＩを示すＰＭＩ情報を制御情報として符号化部２１５に出力する。
【００４６】
符号化部２１３は、送信データに対して符号化処理を行い、変調部２１４は、符号化後の送信データに対して変調処理を行ってデータシンボルを生成する。そして、変調部２１４は、生成したデータシンボルを多重部２１７に出力する。
【００４７】
符号化部２１５は、測定部２１２から入力されるＣＱＩ情報およびＰＭＩ情報を含む制御情報に対して符号化処理を行い、変調部２１６は、符号化後の制御情報に対して変調処理を行って制御情報シンボルを生成する。そして、変調部２１６は、生成した制御情報シンボルを多重部２１７に出力する。
【００４８】
多重部２１７は、変調部２１４から入力されるデータシンボルおよび変調部２１６から
入力される制御情報シンボルを多重して、多重後の信号をＩＦＦＴ部２１８に出力する。
【００４９】
ＩＦＦＴ部２１８は、多重部２１７から入力される信号が割り当てられた複数のサブキャリアに対してＩＦＦＴを行って、ＩＦＦＴ後の信号をＣＰ付加部２１９に出力する。
【００５０】
ＣＰ付加部２１９は、ＩＦＦＴ部２１８から入力される信号の後尾部分と同じ信号をＣＰとして信号の先頭に付加する。
【００５１】
無線送信部２２０は、ＣＰ付加後の信号に対しＤ／Ａ変換、増幅およびアップコンバート等の送信処理を行ってアンテナ２０１−１から基地局１００（図４）へ送信する。
【００５２】
次に、本実施の形態におけるセル固有ＲＳの配置方法について説明する。
【００５３】
以下の説明では、例えば図８に示すように、１フレームが５サブフレーム（サブフレーム０〜４）で構成される。また、１サブフレームにおいて、複数のサブキャリアをＲＢ０〜ＲＢ３の４個のＲＢに均等に分割する場合を一例に挙げて説明する。また、図６および図７に示すように、１ＲＢは６サブキャリア×１サブフレームで構成される。また、LTE端末およびLTE+端末の双方で用いるセル固有ＲＳ（Ｒ０〜Ｒ３）は、図６および図７に示すようにＲＢ内の予め設定されたＲＥに配置される。また、LTE+端末のみで用いるセル固有ＲＳ（Ｒ４〜Ｒ７）は、図７に示すようにＲＢ内の予め設定されたＲＥに配置される。
【００５４】
また、以下の説明では、Ｒ０〜Ｒ３の４個のＲＳが配置されるＲＢ（図６）を図８に示すように４ＲＳと示し、Ｒ０〜Ｒ７の８個のＲＳが配置されるＲＢ（図７）を８ＲＳと示す。つまり、図８において、LTE端末およびLTE+端末の双方で用いるセル固有ＲＳ（Ｒ０〜Ｒ３）は、１フレーム内のすべてのＲＢに配置されるのに対し、LTE+端末のみで用いるＲＳ（Ｒ４〜Ｒ７）は８ＲＳで示されるＲＢのみに配置される。
【００５５】
＜配置方法１（図８）＞
本配置方法では、LTE+端末のみで用いるセル固有ＲＳを、１フレーム内の一部のＲＢのみに配置する。
【００５６】
ここで、LTE+端末のみで用いるセル固有ＲＳを、１フレーム内の一部の限られた周波数帯域のみに固定的に配置すると、基地局１００は、LTE+端末およびLTE端末の双方のデータ信号を限られた周波数帯域のみにしか割り当てることができなくなる。例えば、１フレーム内のサブフレーム０〜サブフレーム４において、ＲＢ０〜ＲＢ３のうち、ＲＢ０およびＲＢ１にLTE+端末のみで用いるセル固有ＲＳ（Ｒ４〜Ｒ７）が固定的に配置されると、基地局１００は、LTE端末宛てのデータ信号をＲＢ２およびＲＢ３のみにしか割り当てることができなくなる。つまり、LTE+端末のみで用いるセル固有ＲＳを、１フレーム内の一部の限られた周波数帯域のみに固定的に配置すると、LTE端末の割り当て可能なＲＢが限定されるため、周波数スケジューリング効果が劣化してしまう。
【００５７】
そこで、本配置方法では、さらに、LTE+端末のみで用いるセル固有ＲＳ（Ｒ４〜Ｒ７）を、隣接するサブフレームで互いに異なる周波数帯域のＲＢに配置する。
【００５８】
具体的には、図８に示すように、サブフレーム０では、Ｒ４〜Ｒ７がＲＢ０に配置され、サブフレーム１では、Ｒ４〜Ｒ７がＲＢ１に配置され、サブフレーム２では、Ｒ４〜Ｒ７がＲＢ２に配置され、サブフレーム３では、Ｒ４〜Ｒ７がＲＢ３に配置され、サブフレーム４では、Ｒ４〜Ｒ７がＲＢ０に配置される。
【００５９】
つまり、基地局１００の設定部１０５（図４）は、図８に示すように、LTE+端末のみで
用いるセル固有ＲＳ（Ｒ４〜Ｒ７）を配置するＲＢとして、サブフレーム０ではＲＢ０を設定し、サブフレーム１ではＲＢ１を設定する。サブフレーム２〜４についても同様である。
【００６０】
配置部１０６は、図７に示すようにしてサブフレーム０のＲＢ０内の対応する各ＲＥにＲ４〜Ｒ７をそれぞれ配置し、サブフレーム１のＲＢ１内の対応する各ＲＥにＲ４〜Ｒ７をそれぞれ配置する。サブフレーム２〜４についても同様である。
【００６１】
図８に示すように、１フレーム内の２０個のＲＢ（「サブフレーム０〜４の５サブフレーム」×「ＲＢ０〜３の４ＲＢ」）のうち、５ＲＢのみにＲ４〜Ｒ７が配置される。すなわち、Ｒ４〜Ｒ７が配置される一部のＲＢ（図８に示す８ＲＳ）以外の１５ＲＢ（図８に示す４ＲＳ）では、LTE端末が受信可能なＲ０〜Ｒ３のみが送信される。よって、基地局１００は、Ｒ４〜Ｒ７が配置される一部のＲＢ（図８に示す８ＲＳ）以外のＲＢ（図８に示す４ＲＳ）にLTE端末を割り当てることができる。これにより、LTE端末は、Ｒ４〜Ｒ７が配置されているＲＥを誤ってデータシンボルとして受信することが無いため、誤り率特性の劣化を防ぐことができる。
【００６２】
また、図８に示すように、Ｒ４〜Ｒ７が配置されるＲＢ（図８に示す８ＲＳ）は、隣接するサブフレームで互いに異なる周波数領域のＲＢに配置される。具体的には、図８に示すように、Ｒ４〜Ｒ７は、サブフレーム０では、ＲＢ０に配置されるのに対し、サブフレーム０に隣接するサブフレーム１では、ＲＢ０と周波数領域が異なるＲＢ１に配置される。同様に、Ｒ４〜Ｒ７は、サブフレーム１に隣接するサブフレーム２では、ＲＢ１と周波数領域が異なるＲＢ２に配置される。サブフレーム３、４についても同様である。すなわち、Ｒ４〜Ｒ７は、サブフレーム毎に１ＲＢずつ周波数領域でシフトさせたＲＢに配置される。
【００６３】
これにより、端末２００（LTE+端末）は、１サブフレームのいずれか１ＲＢで８個のセル固有ＲＳ（Ｒ０〜Ｒ７）を用いてＣＱＩ測定およびＰＭＩ推定を行うことができ、かつ、連続する４サブフレームで、すべてのＲＢ０〜３におけるＣＱＩおよびＰＭＩを更新することができる。そして、端末２００（LTE+端末）は、得られたＣＱＩおよびＰＭＩを基地局１００にフィードバックする。また、基地局１００は、フィードバックされたＣＱＩに基づく適応ＭＣＳ制御を行い、さらに、フィードバックされたＰＭＩを用いて送信データをＭＩＭＯ送信する。なお、端末２００（LTE+端末）は、各サブフレームで得られたＣＱＩおよびＰＭＩを、サブフレーム毎に基地局へフィードバックしてもよい。これにより、端末２００（LTE+端末）では、１サブフレームあたりのフィードバック量を少なくすることができ、かつ、ＲＢ毎により新しいＣＱＩおよびＰＭＩ、つまり、精度の良いＣＱＩおよびＰＭＩをフィードバックすることができる。また、端末２００（LTE+端末）は、ＲＢ０〜ＲＢ３のすべてのＣＱＩおよびＰＭＩを得てから、ＣＱＩおよびＰＭＩを一度に基地局へフィードバックしてもよい。
【００６４】
ここで、基地局１００の８本のアンテナを用いた高速伝送（ＭＩＭＯ送信）はセル半径の小さいマイクロセルで行われることが想定される。このため、基地局１００の８本のアンテナを用いた高速伝送は、低速移動のLTE+端末のみをサポートする。よって、図８に示すように、すべてのＲＢにおけるＣＱＩ測定およびＰＭＩ推定を行うために４サブフレームの長い時間間隔を要する場合でも、４サブフレームに渡るチャネル品質の変動が緩慢であるため、ＣＱＩ測定およびＰＭＩ推定の精度の劣化は小さい。つまり、基地局１００は、端末２００（LTE+端末）からの十分な精度のＣＱＩおよびＰＭＩを用いて適応ＭＣＳ制御およびＭＩＭＯ送信を行うことができるため、スループットを向上させることができる。
【００６５】
また、Ｒ４〜Ｒ７が配置されないＲＢ（図８に示す４ＲＳ）に端末２００（LTE+端末）のデータを割り当てる場合、基地局１００は、データ復調用の端末固有ＲＳ（端末固有のウェイトを乗じたＲ４〜Ｒ７）を、データを割り当てたＲＢに配置して送信する。すなわち、基地局１００は、端末固有ＲＳを用いることで、Ｒ４〜Ｒ７が配置されたＲＢ（図８に示す８ＲＳ）のみでなく、いずれのＲＢ０〜３でもLTE+端末宛てのデータ信号を割り当てることができる。よって、基地局１００では、LTE+端末を割り当てる際のスケジューラの制約が無くなるため、周波数スケジューリング効果を向上させることができる。
【００６６】
ただし、端末固有ＲＳが送信されるＲＢは基地局１００がどのＲＢにLTE+端末を割り当てるかによって変わり、各LTE+端末では自端末に割り当てられたＲＢしか基地局１００から通知されない。そのため、各LTE+端末は、自端末に割り当てられたＲＢの端末個別ＲＳしか存在を知らない。つまり、他のLTE+端末は、端末固有ＲＳを用いてＣＱＩ測定およびＰＭＩ推定を行うことができない。しかし、本配置方法では、サブフレーム毎にいずれか１つのＲＢにセル固有ＲＳが送信されるため、他のLTE+端末は端末固有ＲＳを知らなくても、ＣＱＩ測定およびＰＭＩ推定を行うことができる。
【００６７】
このように、本配置方法によれば、LTE+端末のみで用いるセル固有ＲＳを、１フレーム内の複数のＲＢのうち、一部のＲＢのみに配置する。これにより、基地局は、LTE+端末のみで用いるセル固有ＲＳが配置されたＲＢ以外のＲＢでは、LTE端末宛てのデータ信号を割り当てることができる。よって、LTE端末は、LTE+端末のみで用いるセル固有ＲＳをデータ信号として誤って受信することが無いため、誤り率特性の劣化を防止することができる。よって、本配置方法では、LTE端末とLTE+端末とが共存する場合でも、LTE端末のスループットが劣化することを防ぐことができる。また、LTE+端末のみで用いるセル固有ＲＳが配置されないＲＢでLTE+端末宛てのデータ信号を割り当てる場合、基地局は端末固有ＲＳをＲＢに配置する。これにより、基地局は、すべてのＲＢにおいて、LTE+端末宛てのデータ信号を割り当てることができるため、周波数スケジューリング効果を向上させることができる。
【００６８】
また、本配置方法では、LTE+端末のみで用いるセル固有ＲＳを、隣接するサブフレームで互いに異なる周波数領域のＲＢに配置し、かつ、サブフレーム毎に１ＲＢだけシフトしたＲＢに配置する。これにより、LTE+端末は、自装置のデータ信号が割り当てられていないＲＢにおいても、連続する複数のサブフレームに渡ってセル固有ＲＳを確実に受信することができる。このため、LTE+端末はすべての周波数帯域におけるＣＱＩ測定およびＰＭＩ推定を精度良く行うことができる。なお、セル固有ＲＳのシフト量は１ＲＢでなくてもよい。
【００６９】
なお、本配置方法は、セル毎に時間領域および周波数領域が異なるＲＳの配置パターンを用いてもよい。例えば、隣接する２つの基地局のうち、一方の基地局が図８に示す配置パターンを用いるのに対し、他方の基地局は図９に示す配置パターンを用いてもよい。図８に示す配置パターンでは、Ｒ４〜Ｒ７がサブフレーム０，１，２，３，４の順にＲＢ０，１，２，３，０に配置されるのに対し、図９に示す配置パターンでは、Ｒ４〜Ｒ７がサブフレーム０，１，２，３，４の順にＲＢ０，２，１，３，０に配置される。すなわち、図９に示す配置パターンでは、Ｒ４〜Ｒ７が、１フレーム内において、サブフレーム毎に複数ＲＢ（ここでは、２ＲＢ）ずつ周波数領域でシフトした一部のＲＢに配置される。または、隣接する２つの基地局のうち、一方の基地局が図８に示す配置パターンを用いるのに対し、他方の基地局は図１０に示す配置パターンを用いてもよい。図１０に示す配置パターンでは、Ｒ４〜Ｒ７がサブフレーム０，１，２，３，４の順にＲＢ１，２，３，０，１に配置される。すなわち、図８に示す配置パターンでは、Ｒ４〜Ｒ７がサブフレーム０のＲＢ０から１ＲＢずつシフトさせたＲＢに配置されるのに対し、図１０に示す配置パターンでは、Ｒ４〜Ｒ７がサブフレーム０のＲＢ１から１ＲＢずつシフトさせたＲＢに配置
される。これにより、複数のセルにおいて、同一時間領域および同一周波数領域にＲ４〜Ｒ７が配置される確率を低減することができる。一般に、セル固有ＲＳはセル内のすべての端末を対象として送信されるため、データシンボルよりも大きな送信電力で送信される。つまり、セル境界に位置する端末では、自装置が属するセルからのセル固有ＲＳのみでなく、隣接セルからのセル固有ＲＳも受信するため、セル固有ＲＳのセル間干渉が大きくなる。しかし、上述したように、セル毎に時間領域および周波数領域が異なる配置パターンを用いることで、セル固有ＲＳのセル間干渉を軽減することができるため、各端末におけるＣＱＩ測定およびＰＭＩ推定の精度が向上する。
【００７０】
また、本発明では、４サブフレームで１フレームを構成し、１フレームが、Ｒ４〜Ｒ７をすべてのＲＢに配置する配置パターンの１周期となるようにしてもよい。この場合、ハンドオーバ等で隣接セルから移ってきたLTE+端末は、フレーム番号を知らなくてもセル固有ＲＳ（Ｒ４〜Ｒ７）を受信することができる。
【００７１】
＜配置方法２（図１１）＞
配置方法１では、同一サブフレームにおいてLTE+端末のみで用いるセル固有ＲＳを１ＲＢに配置したのに対し、本配置方法では、同一サブフレームにおいて、LTE+端末のみで用いるセル固有ＲＳを複数のＲＢに配置する。
【００７２】
端末の移動速度が低速である場合、基地局と端末との間のチャネル品質の変動は緩慢になる。一方、端末の移動速度がより高速である場合、基地局と端末との間のチャネル品質の変動は激しくなる。つまり、端末の移動速度がより高速である場合には、サブフレーム毎のチャネル品質の変動が激しくなる。よって、端末の移動速度がより高速である場合、長い時間間隔だけ前のサブフレームで得たＲＳを用いると、現時点のチャネル品質を正確に反映することができないため、ＣＱＩ測定およびＰＭＩ推定の精度が劣化してしまう。
【００７３】
そこで、本配置方法では、同一サブフレームにおいて、LTE+端末のみで用いるセル固有ＲＳ（Ｒ４〜Ｒ７）を、複数のＲＢに配置する。
【００７４】
具体的には、図１１に示すように、サブフレーム０では、Ｒ４〜Ｒ７がＲＢ０およびＲＢ１に配置され、サブフレーム１では、Ｒ４〜Ｒ７がＲＢ２およびＲＢ３に配置され、サブフレーム２では、Ｒ４〜Ｒ７がＲＢ０およびＲＢ１に配置され、サブフレーム３では、Ｒ４〜Ｒ７がＲＢ２およびＲＢ３に配置され、サブフレーム４では、Ｒ４〜Ｒ７がＲＢ０およびＲＢ１に配置される。
【００７５】
つまり、基地局１００の設定部１０５（図４）は、図１１に示すように、LTE+端末のみで用いるセル固有ＲＳ（Ｒ４〜Ｒ７）を配置するＲＢとして、サブフレーム０ではＲＢ０およびＲＢ１の２ＲＢを設定し、サブフレーム１ではＲＢ２およびＲＢ３の２ＲＢを設定する。サブフレーム２〜４についても同様である。
【００７６】
また、配置部１０６は、図７に示すようにしてサブフレーム０のＲＢ０内の対応する各ＲＥおよびＲＢ１内の対応する各ＲＥにＲ４〜Ｒ７をそれぞれ配置し、サブフレーム１のＲＢ２内の対応する各ＲＥおよびＲＢ３内の対応する各ＲＥにＲ４〜Ｒ７をそれぞれ配置する。サブフレーム２〜４についても同様である。
【００７７】
図１１に示すように、１フレーム内の２０個のＲＢのうち、１０ＲＢにＲ４〜Ｒ７が配置される。すなわち、Ｒ４〜Ｒ７が配置される一部のＲＢ（図１１に示す８ＲＳ）以外の１０ＲＢ（図１１に示す４ＲＳ）では、LTE端末が受信可能なＲ０〜Ｒ３のみが送信される。よって、LTE端末は、配置方法１（図８）と同様にして、誤り率特性の劣化を防ぐことができる。
【００７８】
また、配置方法１（図８）では、端末２００（LTE+端末）は４サブフレームですべてのＲＢのセル固有ＲＳ（Ｒ０〜Ｒ７）を受信することができるのに対し、図１１では、端末２００（LTE+端末）は２サブフレームですべてのＲＢのセル固有ＲＳ（Ｒ０〜Ｒ７）を受信することができる。換言すると、配置方法１（図８）では、端末２００（LTE+端末）は、同一ＲＢにおいて、４サブフレーム毎にＲ４〜Ｒ７を受信することができるのに対し、図１１では、端末２００（LTE+端末）は、同一ＲＢにおいて、２サブフレーム毎にＲ４〜Ｒ７を受信することができる。つまり、端末２００（LTE+端末）は、配置方法１と比較して、より短いサブフレーム間隔で新たなＲ４〜Ｒ７を受信することができる。これにより、本配置方法では、配置方法１よりも短いサブフレーム間隔ですべてのＲＢにおけるチャネル品質を更新することができる。このため、端末２００（LTE+端末）の移動速度が速い場合でも、受信した時刻がより新しいサブフレームのセル固有ＲＳを用いて測定したチャネル品質を使用することができるため、端末２００は、ＣＱＩ測定およびＰＭＩ推定の精度を向上させることができる。
【００７９】
なお、本配置方法では、図１１に示す配置パターンに替えて、図１２に示す配置パターンを用いてもよい。すなわち、同一サブフレームにおいて、LTE+端末のみで用いるセル固有ＲＳ（Ｒ４〜Ｒ７）を周波数領域で非連続な複数のＲＢに配置してもよい。
【００８０】
具体的には、図１２に示すように、サブフレーム０では、Ｒ４〜Ｒ７がＲＢ０、および、ＲＢ０と周波数領域で非連続なＲＢ２に配置され、サブフレーム１では、Ｒ４〜Ｒ７がＲＢ１、および、ＲＢ１と周波数領域で非連続なＲＢ３に配置される。サブフレーム２〜４についても同様である。
【００８１】
このように、同一サブフレームにおいて、LTE+端末のみで用いるセル固有ＲＳを周波数領域で非連続な複数のＲＢに配置することで、基地局１００では、LTE端末宛てのデータ信号を割り当てることができるＲＢ（図１２に示す４ＲＳ）も周波数領域で非連続となる。よって、周波数選択性が緩慢である場合でも、基地局１００は、LTE端末に対して周波数領域で分散したＲＢを割り当てることができる。これにより、基地局１００がLTE端末を受信品質の悪いＲＢに連続して割り当てることを防ぐことができるため、周波数スケジューリング効果を向上させることができる。
【００８２】
なお、本配置方法では、配置方法１（図８）と比較してLTE端末を割り当てることができるＲＢ数が減少する。しかし、LTE端末を配置できるＲＢはサブフレーム毎に変わるので、基地局１００は、連続する２サブフレームのいずれかのサブフレームではチャネル品質の良いＲＢにLTE端末を割り当てることができる。つまり、LTE端末を配置できるＲＢ数の減少による周波数スケジューリング効果の劣化は小さい。
【００８３】
このように、本配置方法によれば、同一サブフレームにおいて、LTE+端末のみで用いるセル固有ＲＳを複数の一部のＲＢに配置する。これにより、配置方法１と同様の効果を得ることができる。また、本配置方法によれば、移動速度が速いLTE+端末が存在する場合でも、LTE+端末は、より新しいサブフレームで受信したＲＳ、つまり、現時点におけるチャネル品質が反映されたＲＳを用いてＣＱＩ測定およびＰＭＩ推定を行うことができる。
【００８４】
なお、本配置方法では、基地局１００は、セル内の伝搬路の状況（周波数選択性）に応じて図１１に示す配置パターンと図１２に示す配置パターンとを切り替えてもよい。すなわち、基地局１００の設定部１０５は、セル内の伝搬路の状態に応じて、Ｒ４〜Ｒ７が配置される、同一サブフレームの複数のＲＢの周波数間隔を切り替えてもよい。これにより、基地局１００は、伝搬路の状況に適したスケジューリングが可能となるため、周波数スケジューリング効果をさらに向上させることができる。
【００８５】
＜配置方法３（図１３）＞
本配置方法では、LTE+端末のみで用いるセル固有ＲＳを、所定のサブフレーム間隔の一部のＲＢに配置する。
【００８６】
上述したように、端末の移動速度が低速である場合、基地局と端末との間のチャネル品質の変動は緩慢になる。よって、端末の移動速度が低速である場合、長い時間間隔だけ前のサブフレームで得たＲＳを用いて得られたチャネル品質を現時点のチャネル品質として使用してもＣＱＩ測定およびＰＭＩ推定の精度は劣化しない。よって、端末の移動速度が低速である場合には、配置方法１（図８）のように、サブフレーム毎にLTE+端末のみで用いるセル固有ＲＳをＲＢに配置しなくてもよい。
【００８７】
そこで、本配置方法では、LTE+端末のみで用いるセル固有ＲＳ（Ｒ４〜Ｒ７）を、所定のサブフレーム間隔の一部のＲＢに配置する。
【００８８】
以下の説明では、所定のサブフレーム間隔を２サブフレームとする。また、配置方法２（図１２）と同様にして、同一サブフレームにおいて、LTE+端末のみで用いるセル固有ＲＳ（Ｒ４〜Ｒ７）を周波数領域で非連続な複数のＲＢに配置する。
【００８９】
具体的には、図１３に示すように、サブフレーム０では、Ｒ４〜Ｒ７がＲＢ０およびＲＢ２に配置され、サブフレーム０から２サブフレーム間隔のサブフレーム２では、Ｒ４〜Ｒ７がＲＢ１およびＲＢ３に配置され、サブフレーム２から２サブフレーム間隔のサブフレーム４では、Ｒ４〜Ｒ７がＲＢ０およびＲＢ２に配置される。
【００９０】
つまり、基地局１００の設定部１０５（図４）は、図１３に示すように、LTE+端末のみで用いるセル固有ＲＳ（Ｒ４〜Ｒ７）を配置するＲＢとして、サブフレーム０ではＲＢ０およびＲＢ２の２ＲＢを設定し、サブフレーム２ではＲＢ１およびＲＢ３の２ＲＢを設定し、サブフレーム４ではＲＢ０およびＲＢ２の２ＲＢを設定する。一方、設定部１０５は、サブフレーム１およびサブフレーム３ではＲ４〜Ｒ７を配置するＲＢを設定しない。
【００９１】
また、配置部１０６は、図７に示すようにしてサブフレーム０のＲＢ０内の対応する各ＲＥおよびＲＢ２内の対応する各ＲＥにＲ４〜Ｒ７をそれぞれ配置し、サブフレーム２のＲＢ１内の対応する各ＲＥおよびＲＢ３内の対応する各ＲＥにＲ４〜Ｒ７をそれぞれ配置し、サブフレーム４のＲＢ０内の対応する各ＲＥおよびＲＢ２内の対応する各ＲＥにＲ４〜Ｒ７をそれぞれ配置する。
【００９２】
図１３に示すように、１フレーム内の２０個のＲＢのうち、６ＲＢのみにＲ４〜Ｒ７が配置される。すなわち、Ｒ４〜Ｒ７が配置される一部のＲＢ（図１３に示す８ＲＳ）以外の１４ＲＢ（図１３に示す４ＲＳ）では、LTE端末が受信可能なＲ０〜Ｒ３のみが送信される。よって、LTE端末は、配置方法１（図８）と同様にして、誤り率特性の劣化を防ぐことができる。
【００９３】
また、図１３では、端末２００（LTE+端末）は４サブフレームですべてのＲＢのセル固有ＲＳ（Ｒ０〜Ｒ７）を受信することができる。よって、配置方法１（図８）と同様、端末２００（LTE+端末）は、４サブフレーム毎に、各ＲＢにおけるＣＱＩおよびＰＭＩを更新することができる。
【００９４】
このように、本配置方法によれば、LTE+端末のみで用いるセル固有ＲＳを、所定のサブフレーム間隔の一部のＲＢに配置する。これにより、LTE+端末におけるＣＱＩ測定およびＰＭＩ推定の精度を維持しつつ、１フレーム内のLTE+端末のみで用いるセル固有ＲＳの数
を低減でき、LTE端末宛てのデータ信号を割り当てるＲＢの数を増加させることができる。よって、本配置方法によれば、LTE端末とLTE+端末とが共存する場合でも、LTE端末に割り当てるＲＢを最大限確保することができるため、配置方法１と同様、LTE端末のスループットが劣化することを防ぐことができる。
【００９５】
なお、本配置方法では、所定のサブフレーム間隔を２サブフレームとしたが、所定のサブフレーム間隔は２サブフレームに限定されない。例えば、基地局１００は、所定のサブフレーム間隔をLTE+端末の移動速度に応じて設定してもよい。具体的には、基地局１００は、LTE+端末の移動速度が低いほど、チャネル品質の変動が緩慢であるため、所定のサブフレーム間隔をより長くしてもよい。また、所定のサブフレームの間隔は端末毎にＲＲＣシグナリングで通知されてもよいし、セル毎に報知してもよい。
【００９６】
以上、本実施の形態における配置方法１〜３について説明した。
【００９７】
このように、本実施の形態によれば、LTE端末とLTE+端末とが共存する場合でも、LTE端末のスループットが劣化することを防ぐことができる。また、本実施の形態によれば、基地局は、LTE+端末を割り当てるＲＢに対するスケジューリングの制約が無くなり、かつ、LTE端末を割り当てるＲＢの数が多くなるため、より多くの周波数帯域に対して周波数スケジューリングを行うことができる。
【００９８】
なお、本実施の形態では、１フレームを構成するサブフレーム数を５サブフレームとし、１サブフレームの複数のサブキャリアを４個のＲＢに分ける場合について説明した。しかし、本発明では、１フレームを構成するサブフレーム数は５個に限定されず、１サブフレームの複数のサブキャリアを分けるＲＢ数は４個に限定されない。
【００９９】
（実施の形態２）
本実施の形態では、実施の形態１の配置方法１〜３をセル環境に応じて切り替えて使用する場合について説明する。
【０１００】
上述したように、配置方法１の方が配置方法２よりもLTE+端末のみで用いるセル固有ＲＳ（Ｒ４〜Ｒ７）が配置されるＲＢ数を少なくすることができる。一方で、配置方法２の方が配置方法１よりも短いサブフレーム間隔で基地局がすべてのＲＢにおけるセル固有ＲＳ（Ｒ４〜Ｒ７）を送信することができる。つまり、配置方法１の方が配置方法２よりもLTE端末を割り当てる１フレーム内のＲＢ数をより多く確保できる一方で、配置方法２の方が配置方法１よりもLTE+端末がすべての周波数領域でチャネル品質を更新することができるサブフレームの間隔をより短くすることができる。
【０１０１】
同様に、配置方法３の方が配置方法２よりもLTE端末を割り当てる１フレーム内のＲＢ数をより多く確保できる一方で、配置方法２の方が配置方法３よりもLTE+端末がすべての周波数領域でチャネル品質を更新することができるサブフレームの間隔を短くすることができる。
【０１０２】
つまり、配置方法１（配置方法３）および配置方法２では、LTE端末を割り当てることができる１フレーム内のＲＢ数と、LTE+端末がすべてのＲＢのチャネル品質を更新することができるサブフレームの間隔との間の関係がトレードオフの関係となる。
【０１０３】
そこで、本実施の形態に係る設定部１０５（図４）は、実施の形態１の配置方法１（配置方法３）および配置方法２をセル環境に応じて切り替えて、セル固有ＲＳ（Ｒ４〜Ｒ７）を配置するＲＢを設定する。
【０１０４】
以下、本実施の形態の設定部１０５における切り替え方法１、２について説明する。
【０１０５】
＜切り替え方法１＞
本切り替え方法では、セル内のLTE端末の数に応じて配置方法を切り替える。
【０１０６】
上述したように、基地局１００（図４）は、端末固有ＲＳであるＲ４〜Ｒ７を配置することで、セル固有ＲＳ（Ｒ４〜Ｒ７）が配置されたＲＢ以外のＲＢでもLTE+端末を割り当てることができる。これに対し、基地局１００は、セル固有ＲＳ（Ｒ４〜Ｒ７）が配置されたＲＢ以外のＲＢのみしかLTE端末を割り当てることができない。よって、基地局１００は、LTE端末の数が多いほど、LTE端末が割当可能なＲＢ、つまり、LTE+端末のみで用いるセル固有ＲＳが配置されるＲＢ以外のＲＢをより多く確保する必要がある。換言すると、基地局１００は、LTE端末の数が多いほど、LTE+端末のみで用いるセル固有ＲＳが配置されるＲＢをより少なくする必要がある。
【０１０７】
一方、基地局１００は、LTE端末の数が少ないほど、LTE+端末のみで用いるセル固有ＲＳが配置されるＲＢをより多く確保することができる。これにより、端末２００（図５）は、より多くのＲＢでLTE+端末のみで用いるセル固有ＲＳを受信することができるため、LTE+端末の周波数スケジューリング効果が向上する。
【０１０８】
そこで、設定部１０５は、LTE端末の数が多い場合、配置方法１（配置方法３）を用いてＲ４〜Ｒ７を配置するＲＢを設定し、LTE端末の数が少ない場合、配置方法２を用いてＲ４〜Ｒ７を配置するＲＢを設定する。具体的には、設定部１０５は、LTE端末の数と予め設定された閾値とを比較して配置方法を切り替える。すなわち、設定部１０５は、LTE端末の数が閾値以上の場合、配置方法１（配置方法３）に切り替え、LTE端末の数が閾値未満の場合、配置方法２に切り替える。つまり、設定部１０５は、セル内のLTE端末の数に応じて、LTE+端末のみで用いるセル固有ＲＳの数を変化させる。
【０１０９】
これにより、基地局１００は、LTE端末の数が多い場合には、配置方法１（配置方法３）を用いることで、LTE+端末のみで用いるセル固有ＲＳを一部のＲＢに配置しつつ、LTE端末を割り当てることができるＲＢを最大限確保することができる。一方、基地局１００は、LTE端末の数が少ない場合には、配置方法２を用いることで、LTE端末を割り当てることができるＲＢを確保しつつ、LTE+端末のみで用いるセル固有ＲＳが配置されるＲＢを最大限確保することができる。
【０１１０】
このようにして、本切り替え方法によれば、基地局は、セル内のLTE端末が多い場合、LTE端末を割り当てることができるＲＢを優先して得られる配置方法に切り替える。一方で、基地局は、セル内のLTE端末が少ない場合、LTE+端末がすべての周波数帯域でセル固有ＲＳを受信することができるサブフレームの間隔を短くすることで周波数スケジューリング効果を優先して得られる配置方法に切り替える。これにより、セル内のLTE端末の数がいずれの場合でも、LTE端末を割り当てるＲＢを確保しつつ、LTE+端末における周波数スケジューリング効果を得ることができる。
【０１１１】
＜切り替え方法２＞
本切り替え方法では、セル内のLTE+端末の移動速度に応じて配置方法を切り替える。
【０１１２】
上述したように、LTE+端末の移動速度が速いほどチャネル品質の変動が激しくなるため、端末２００は、精度を劣化させずにＣＱＩ測定およびＰＭＩ推定を行うためには、より短い時間間隔、つまり、より短いサブフレーム間隔で各ＲＢのチャネル品質を更新する必要がある。
【０１１３】
一方、LTE+端末の移動速度が遅いほどチャネル品質の変動が緩慢になるため、端末２００は、長い時間間隔、つまり、長いサブフレーム間隔で各ＲＢのチャネル品質を更新しても精度を劣化させずにＣＱＩ測定およびＰＭＩ推定を行うことができる。
【０１１４】
そこで、設定部１０５は、LTE+端末の移動速度が遅い場合、配置方法１（配置方法３）を用いてＲ４〜Ｒ７を配置するＲＢを設定し、LTE+端末の移動速度が速い場合、配置方法２を用いてＲ４〜Ｒ７を配置するＲＢを設定する。具体的には、設定部１０５は、LTE+端末の移動速度と予め設定された閾値とを比較して配置方法を切り替える。すなわち、設定部１０５は、移動速度が閾値以下のLTE+端末しか存在しない場合、配置方法１（配置方法３）に切り替え、移動速度が閾値より大きいLTE+端末が存在する場合、配置方法２に切り替える。つまり、設定部１０５は、LTE+端末の移動速度に応じて、LTE+端末のみで用いるセル固有ＲＳが配置されるサブフレームの間隔を変化させる。
【０１１５】
これにより、基地局１００は、LTE+端末の移動速度が遅い場合には、配置方法１（配置方法３）を用いることで、LTE+端末のみで用いるセル固有ＲＳを配置するＲＢを必要最小限に抑えて、LTE端末を割り当てることができるＲＢを最大限確保することができる。一方、基地局１００は、LTE+端末の移動速度が速い場合には、配置方法２を用いることで、LTE端末を割り当てることができるＲＢを確保しつつ、LTE+端末のみで用いるセル固有ＲＳが配置されるＲＢを最大限確保することができる。
【０１１６】
このようにして、本切り替え方法によれば、基地局は、セル内のLTE+端末の移動速度が遅い場合、LTE端末を割り当てることができるＲＢを優先して得られる配置方法に切り替える。一方で、基地局は、セル内のLTE+端末の移動速度が速い場合、LTE+端末がすべての周波数帯域でセル固有ＲＳを受信することができるサブフレームの間隔を短くすることで周波数スケジューリング効果を優先して得られる配置方法に切り替える。これにより、セル内のLTE+端末の移動速度がいずれの場合でも、切り替え方法１と同様、LTE端末を割り当てるＲＢを確保しつつ、LTE+端末における周波数ダイバーシチ効果を得ることができる。
【０１１７】
以上、本実施の形態の設定部１０５における切り替え方法１、２について説明した。
【０１１８】
このように、本実施の形態によれば、セル環境に応じてLTE+端末のみで用いるセル固有ＲＳの配置方法を切り替える。このため、セル環境に応じて、LTE端末を割り当てることができるＲＢを最大限確保しつつ、LTE+端末における周波数スケジューリング効果を最大限得ることができる。
【０１１９】
なお、本実施の形態では、基地局１００（図４）は、配置方法１（配置方法３）の配置パターンおよび配置方法２の配置パターンを切り替える際、配置パターンを切り替えたことを示す情報を、ＢＣＨ信号を用いてすべての端末２００（LTE+端末）に報知してもよい。ただし、基地局１００と端末２００との間で、配置パターン１〜３は共有されている。これにより、基地局１００は、配置パターンを切り替える度に配置パターンを端末２００に通知することなく、セル環境に応じて配置パターンを切り替えることができる。また、基地局１００は、配置パターンを切り替えたことを示す情報を、ＲＲＣ（Radio Resource
Control）シグナリングを用いてLTE+端末に個別に通知してもよい。
【０１２０】
（実施の形態３）
3GPP-LTEでは、ＲＢにLTE端末を割り当てる方法として、例えば以下の３つの方法が規定されている。１つ目の割当方法（以下、type0割当という）は、システム帯域内の複数のＲＢが複数のＲＢグループにグループ化されており、基地局が、LTE端末をＲＢグループ単位で割り当てる方法である。ここで、ＲＢグループを構成するＲＢ数は、システム帯
域幅によって異なる。type0割当は、ＲＢ割当の自由度が高く、周波数スケジューリングにより大容量のデータを送信するのに適しており、高いスループットを得ることができる。
【０１２１】
２つ目の割当方法（以下、type1割当という）は、システム帯域内のＲＢグループの一部を抽出し、抽出された一部のＲＢグループ内において、基地局がＲＢ単位で端末を割り当てる方法である。type1割当では、端末に対して同時に割り当てられるＲＢの組み合わせが限定されるものの、ＲＢ単位で端末を割り当てるのでＲＢ割当の粒度が細かくなるため、送信データ量の少ない端末に対するＲＢ割当に適している。
【０１２２】
３つ目の割当方法（以下、type2割当という）は、基地局が周波数領域で連続するＲＢに端末を割り当てる方法である。type2割当では、基地局は、端末が割り当てられたＲＢの開始点および終了点のみを端末へ通知すればよいため、ＲＢの割当結果を通知するための情報量が少なくなる。また、type2割当では、type1割当と同様、端末に対して同時に割り当てられるＲＢの組み合わせが限定されるが、ＲＢ単位で端末を割り当てるのでＲＢ割当の粒度が細かくなるため、送信データ量の少ない端末に対するＲＢ割当に適している。
【０１２３】
ここで、基地局は、LTE+端末のみで用いるセル固有ＲＳ（Ｒ４〜Ｒ７）が配置されるＲＢには、LTE端末を割り当てることができない。そのため、ＲＢグループ単位でのＲＢ割当を行うtype０割当では、ＲＢグループを構成する複数のＲＢのいずれかにLTE+端末のみで用いるセル固有ＲＳが配置されるＲＢが含まれる場合、基地局は、そのＲＢグループにLTE端末を割り当てることができない。つまり、type0割当では、LTE端末に割り当て可能なＲＢグループが制限され、LTE端末を割り当てるＲＢに対するスケジューリングの制約が大きくなってしまうことがあり得る。
【０１２４】
例えば、LTE+端末のみで用いるセル固有ＲＳがサブフレーム毎に１ＲＢずつ周波数領域でシフトさせたＲＢに配置される場合のＲＳの配置例を図１４に示す。図１４では、１サブフレームにおいて、複数のサブキャリアをＲＢ０〜ＲＢ７の８個のＲＢに均等に分割する場合を一例に挙げて説明する。また、１つのＲＢグループは２つのＲＢで構成される（すなわち、ＲＢグループサイズ：２ＲＢ）。例えば、図１４に示すように、ＲＢ０およびＲＢ１が１つのＲＢグループを構成し、ＲＢ２およびＲＢ３が１つのＲＢグループを構成し、ＲＢ４およびＲＢ５が１つのＲＢグループを構成し、ＲＢ６およびＲＢ７が１つのＲＢグループを構成する。また、実施の形態１と同様、図１４に示すように、Ｒ０〜Ｒ３の４個のＲＳが配置されるＲＢ（図６）を４ＲＳと示し、Ｒ０〜Ｒ７の８個のＲＳが配置されるＲＢ（図７）を８ＲＳと示す。
【０１２５】
ここで、図１４に示すサブフレーム０では、LTE+端末のみで用いるセル固有ＲＳ（Ｒ４〜Ｒ７）は、ＲＢ０およびＲＢ６の２つのＲＢに配置される。そのため、基地局は、ＲＢ０を含むＲＢグループ（図１４に示すＲＢ０およびＲＢ１で構成されるＲＢグループ）、および、ＲＢ６を含むＲＢグループ（図１４に示すＲＢ６およびＲＢ７で構成されるＲＢグループ）にLTE端末を割り当てることができない。よって、図１４に示すサブフレーム０のＲＢ０〜ＲＢ７の８つのＲＢのうち、LTE+端末のみで用いるセル固有ＲＳが配置されるＲＢが２つ（ＲＢ０およびＲＢ６）であるのに対し、LTE端末を割り当てることができないＲＢは４つ（ＲＢ０、ＲＢ１、ＲＢ６およびＲＢ７）となる。
【０１２６】
このように、type0割当では、LTE端末およびLTE+端末の双方で用いるセル固有ＲＳが配置されるＲＢであるにも関わらず、LTE端末を割り当てられないＲＢが存在する場合がある。type0割当は、周波数スケジューリングによって大容量のデータを送信するのに適したＲＢ割当方法であるため、LTE端末を割り当てるＲＢに対するスケジューリングの制約は、LTE端末のスループットの劣化に大きな影響を及ぼす。特に、ＲＢグループサイズが
大きい場合にはLTE端末のスループットの劣化はより大きくなる。
【０１２７】
そこで、本実施の形態では、LTE+端末のみで用いるセル固有ＲＳを、１フレーム内の同一サブフレームにおいて一部のＲＢグループを構成する複数のＲＢに配置する。
【０１２８】
以下、本実施の形態におけるセル固有ＲＳの配置方法について説明する。
【０１２９】
以下の説明では、図１５に示すように、図１４と同様、１ＲＢグループが２つのＲＢで構成される（ＲＢグループサイズ：２）。
【０１３０】
本実施の形態では、LTE+端末のみで用いるセル固有ＲＳ（Ｒ４〜Ｒ７）を、1フレーム内の同一サブフレームにおいて一部のＲＢグループを構成する複数のＲＢに配置する。具体的には、図１５に示すように、サブフレーム０では、Ｒ４〜Ｒ７が、１つのＲＢグループを構成するＲＢ０およびＲＢ１に配置され、サブフレーム１では、Ｒ４〜Ｒ７が、１つのＲＢグループを構成するＲＢ２およびＲＢ３に配置され、サブフレーム２では、Ｒ４〜Ｒ７が、１つのＲＢグループを構成するＲＢ４およびＲＢ５に配置され、サブフレーム３では、Ｒ４〜Ｒ７が、１つのＲＢグループを構成するＲＢ６およびＲＢ７に配置される。
【０１３１】
つまり、基地局１００の設定部１０５（図４）は、図１５に示すように、LTE+端末のみで用いるセル固有ＲＳ（Ｒ４〜Ｒ７）を配置するＲＢグループとして、サブフレーム０ではＲＢ０およびＲＢ１で構成されるＲＢグループを設定し、サブフレーム１ではＲＢ２およびＲＢ３を構成するＲＢグループを設定する。サブフレーム２およびサブフレーム３についても同様である。すなわち、設定部１０５は、LTE+端末のみで用いるセル固有ＲＳが配置されるＲＢを、ＲＢグループ単位で設定する。
【０１３２】
そして、基地局１００の配置部１０６（図４）は、設定部１０５で設定されたＲＢグループを構成する複数のＲＢにＲ４〜Ｒ７を配置する。つまり、配置部１０６は、図７に示すようにしてサブフレーム０のＲＢ０（およびＲＢ１）内の対応する各ＲＥにＲ４〜Ｒ７をそれぞれ配置し、サブフレーム１のＲＢ２（およびＲＢ３）内の対応する各ＲＥにＲ４〜Ｒ７をそれぞれ配置する。サブフレーム２およびサブフレーム３についても同様である。
【０１３３】
図１５に示すように、各サブフレームにおいて、type0割当によりLTE端末を割り当てることができないＲＢグループ（つまり、LTE+端末のみで用いるセル固有ＲＳが配置されるＲＢを含むＲＢグループ）の数は１つとなる。すなわち、各サブフレームにおいて、LTE+端末のみで用いるセル固有ＲＳが配置されるＲＢ数が２つであるのに対し、type0割当によりLTE端末を割り当てることができないＲＢ数も２つとなる。
【０１３４】
このように、LTE+端末のみで用いるセル固有ＲＳがＲＢグループ単位で配置されることにより、LTE+端末のみで用いるセル固有ＲＳが配置されるＲＢ数と、type0割当によりLTE端末を割り当てることができないＲＢ数とが同一となる。つまり、基地局１００では、LTE端末を割り当てることができないＲＢ数を最小限にすることができる。これにより、LTE端末を割り当てるＲＢに対するスケジューリングの制約を最小限に抑えることができ、LTE端末のスループットが劣化することを防ぐことができる。
【０１３５】
このようにして、本実施の形態によれば、端末をＲＢグループ単位で割り当てる場合でも、実施の形態１と同様、LTE端末のスループットが劣化することを防ぐことができる。特に、ＲＢグループ単位でのＲＢ割当を行うtype0割当は、高速伝送を行うLTE端末のスループットを最も向上することができるＲＢ割当方法である。そのため、本実施の形態によれば、LTE端末を割り当てるＲＢに対するスケジューリングの制約が緩和されるため、高
速伝送を行うLTE端末を収容するセルでは、LTE端末が割り当てられるＲＢ数が減少することを防ぐことができる。
【０１３６】
なお、本実施の形態では、基地局が端末をＲＢグループ単位で割り当てる場合について説明した。しかし、本発明では、基地局は、端末をＲＢグループの整数倍の単位で割り当てる場合でも本実施の形態と同様の効果を得ることができる。
【０１３７】
また、本実施の形態では、１フレームを構成するサブフレーム数を４サブフレームとし、１サブフレームの複数のサブキャリアを８個のＲＢに分ける場合について説明した。しかし、本発明では、１フレームを構成するサブフレーム数は４個に限定されず、１サブフレームの複数のサブキャリアを分けるＲＢ数は８個に限定されない。
【０１３８】
（実施の形態４）
実施の形態３で説明したＲＢ割当（type0割当、type1割当およびtype2割当）以外の他のＲＢ割当方法として、Ｄｉｓｔｒｉｂｕｔｅｄ  ＲＢ割当（周波数ホッピング）がある。Ｄｉｓｔｒｉｂｕｔｅｄ  ＲＢ割当では、基地局は、１つの端末を、複数の異なるＲＢに分散して割り当てる。なお、以下の説明では、１つの端末が互いに異なる２つのＲＢに分散して割り当てられる場合について説明する。つまり、例えば、１サブフレーム内において各ＲＢが時間領域の前半部分と後半部分とに時間分割され、基地局は、１つの端末を、異なる２つのＲＢのうち一方のＲＢの前半部分および他方のＲＢの後半部分に分散して割り当てる。また、Ｄｉｓｔｒｉｂｕｔｅｄ  ＲＢ割当において、異なる２つのＲＢの周波数間隔（ＲＢ間隔、ホッピング間隔またはＧａｐ）は、システム帯域幅に基づいて予め決定される。品質の良いＲＢをサブフレーム毎に割り当てる周波数スケジューリングと比較して、周波数ダイバーシチ効果を得ることができるＤｉｓｔｒｉｂｕｔｅｄ  ＲＢ割当は、例えば、一度割り当てたＲＢを継続して使い続ける音声パケット伝送向けのＳｅｍｉ−ｐｅｒｓｉｓｔｅｎｔスケジューリング（Semi-Persistent Scheduling：ＳＰＳ）に適している。
【０１３９】
ここで、Ｄｉｓｔｒｉｂｕｔｅｄ  ＲＢ割当では、基地局が１つのLTE端末を割り当てる場合には、LTE端末を割り当てる２つのＲＢは、双方ともLTE端末に割当可能なＲＢ、つまり、LTE端末およびLTE+端末の双方で用いられるセル固有ＲＳが配置されるＲＢである必要がある。つまり、Ｄｉｓｔｒｉｂｕｔｅｄ  ＲＢ割当では、Ｄｉｓｔｒｉｂｕｔｅｄ
ＲＢ割当で予め決定されたＲＢ間隔だけ離れている２つのＲＢのいずれかにLTE+端末のみで用いるセル固有ＲＳが配置されるＲＢが含まれる場合、基地局は、その２つのＲＢにLTE端末を割り当てることができない。つまり、Ｄｉｓｔｒｉｂｕｔｅｄ  ＲＢ割当では、LTE端末に割り当て可能なＲＢが制限され、LTE端末を割り当てるＲＢに対するスケジューリングの制約が大きくなってしまうことがあり得る。
【０１４０】
例えば、LTE+端末のみで用いるセル固有ＲＳがサブフレーム毎に１ＲＢずつ周波数領域でシフトさせたＲＢに配置される場合のＲＳの配置例を図１６に示す。図１６では、システム帯域幅を１６ＲＢ（ＲＢ０〜ＲＢ１５）とし、Ｄｉｓｔｒｉｂｕｔｅｄ  ＲＢ割当における２つのＲＢのＲＢ間隔（ホッピング間隔）を８ＲＢとする。また、実施の形態１と同様、図１６に示すように、Ｒ０〜Ｒ３の４個のＲＳが配置されるＲＢ（図６）を４ＲＳと示し、Ｒ０〜Ｒ７の８個のＲＳが配置されるＲＢ（図７）を８ＲＳと示す。また、例えば、図１６に示すサブフレーム２では、LTE+端末のみで用いるセル固有ＲＳ（Ｒ４〜Ｒ７）は、ＲＢ２、ＲＢ８およびＲＢ１４の３つのＲＢに配置される。
【０１４１】
ここで、図１６に示すサブフレーム２において、ＲＢ１０を用いて端末に対するＤｉｓｔｒｉｂｕｔｅｄ  ＲＢ割当を行う場合を想定する。このとき、端末には、ＲＢ１０の前半部分または後半部分、および、ＲＢ１０からホッピング間隔８ＲＢだけ離れたＲＢ２の
後半部分または前半部分が割り当てられる。しかし、ＲＢ２は、LTE+端末のみで用いるセル固有ＲＳが配置されるＲＢであるため、基地局は、ＲＢ２およびＲＢ１０にLTE端末を割り当てることができない。同様にして、基地局は、LTE+端末のみで用いるセル固有ＲＳが配置されるＲＢ８およびＲＢ１４に加え、ＲＢ８から８ＲＢだけ離れたＲＢ０、および、ＲＢ１４から８ＲＢだけ離れたＲＢ６にもLTE端末を割り当てることができない。よって、図１６に示すサブフレーム２のＲＢ０〜ＲＢ１５の１６個のＲＢのうち、LTE+端末のみで用いるセル固有ＲＳが配置されるＲＢが３つ（ＲＢ２、ＲＢ８およびＲＢ１４）であるのに対し、LTE端末を割り当てることができないＲＢは６つ（図１６に示す破線で囲んだＲＢ）となる。
【０１４２】
このように、Ｄｉｓｔｒｉｂｕｔｅｄ  ＲＢ割当では、LTE端末およびLTE+端末の双方で用いるセル固有ＲＳが配置されるＲＢであるにも関わらず、LTE端末を割り当てることができないＲＢが存在する場合がある。つまり、Ｄｉｓｔｒｉｂｕｔｅｄ  ＲＢ割当では、LTE端末を割り当てるＲＢに対するスケジューリングの制約が大きくなり、LTE端末のスループットまたは音声端末収容数が劣化してしまうことがある。
【０１４３】
そこで、本実施の形態では、LTE+端末のみで用いるセル固有ＲＳを、Ｄｉｓｔｒｉｂｕｔｅｄ  ＲＢ割当におけるＲＢ間隔（ホッピング間隔）だけ離れた複数のＲＢに配置する。
【０１４４】
以下、本実施の形態におけるセル固有ＲＳの配置方法について説明する。
【０１４５】
以下の説明では、図１７に示すように、図１６と同様、システム帯域幅を１６ＲＢ（ＲＢ０〜ＲＢ１５）とする場合を一例に挙げて説明する。また、Ｄｉｓｔｒｉｂｕｔｅｄ  ＲＢ割当におけるＲＢ間隔を８ＲＢとする。
【０１４６】
本実施の形態では、LTE+端末のみで用いるセル固有ＲＳ（Ｒ４〜Ｒ７）を、Ｄｉｓｔｒｉｂｕｔｅｄ  ＲＢ割当におけるＲＢ間隔（８ＲＢ）だけ離れた２つのＲＢに配置する。具体的には、図１７に示すように、サブフレーム０では、Ｒ４〜Ｒ７が、ＲＢ０、および、ＲＢ０から８ＲＢだけ離れたＲＢ８に配置される。同様に、図１７に示すように、サブフレーム１では、Ｒ４〜Ｒ７が、ＲＢ１、および、ＲＢ１から８ＲＢだけ離れたＲＢ９に配置され、サブフレーム２では、Ｒ４〜Ｒ７が、ＲＢ２、および、ＲＢ２から８ＲＢだけ離れたＲＢ１０に配置され、サブフレーム３では、Ｒ４〜Ｒ７が、ＲＢ３、および、ＲＢ３から８ＲＢだけ離れたＲＢ１１に配置される。
【０１４７】
つまり、基地局１００の設定部１０５（図４）は、図１７に示すように、LTE+端末のみで用いるセル固有ＲＳ（Ｒ４〜Ｒ７）を配置するＲＢとして、サブフレーム０ではＲＢ０およびＲＢ８を設定し、サブフレーム１ではＲＢ１およびＲＢ９を設定する。サブフレーム２およびサブフレーム３についても同様である。すなわち、設定部１０５は、各サブフレームにおいて、LTE+端末のみで用いるセル固有ＲＳを配置する２つのＲＢを、Ｄｉｓｔｒｉｂｕｔｅｄ  ＲＢ割当におけるＲＢ間隔（ホッピング間隔）と同一のＲＢだけ離れたＲＢに設定する。
【０１４８】
そして、基地局１００の配置部１０６（図４）は、図７に示すようにしてサブフレーム０のＲＢ０（およびＲＢ８）内の対応する各ＲＥにＲ４〜Ｒ７をそれぞれ配置し、サブフレーム１のＲＢ１（およびＲＢ９）内の対応する各ＲＥにＲ４〜Ｒ７をそれぞれ配置する。サブフレーム２およびサブフレーム３についても同様である。
【０１４９】
図１７に示すように、各サブフレームにおいて、Ｄｉｓｔｒｉｂｕｔｅｄ  ＲＢ割当によりLTE端末を割り当てることができないＲＢ（つまり、LTE+端末のみで用いるセル固有
ＲＳが配置されるＲＢ、または、LTE+端末のみで用いるセル固有ＲＳが配置されるＲＢとの周波数間隔が８ＲＢであるＲＢ）の数は２つとなる。すなわち、各サブフレームにおいて、LTE+端末のみで用いるセル固有ＲＳが配置されるＲＢ数が２つであるのに対し、Ｄｉｓｔｒｉｂｕｔｅｄ  ＲＢ割当によりLTE端末を割り当てることができないＲＢの数も２つとなる。
【０１５０】
このように、LTE+端末のみで用いるセル固有ＲＳがＤｉｓｔｒｉｂｕｔｅｄ  ＲＢ割当におけるＲＢ間隔だけ離れた複数のＲＢに配置される。これにより、LTE+端末のみで用いるセル固有ＲＳが配置されるＲＢ数と、Ｄｉｓｔｒｉｂｕｔｅｄ  ＲＢ割当によりLTE端末を割り当てることができないＲＢ数とが同一となる。つまり、基地局１００では、LTE端末を割り当てることができないＲＢ数を最小限にすることができる。これにより、LTE端末を割り当てるＲＢに対するスケジューリングの制約を最小限に抑えることができ、LTE端末のスループットが劣化することを防ぐことができる。
【０１５１】
このようにして、本実施の形態によれば、Ｄｉｓｔｒｉｂｕｔｅｄ  ＲＢ割当により端末をＲＢに割り当てる場合でも、実施の形態１と同様、LTE端末のスループットが劣化することを防ぐことができる。特に、Ｄｉｓｔｒｉｂｕｔｅｄ  ＲＢ割当は、主に音声パケット送信時に用いられる。そのため、本実施の形態によれば、LTE端末を割り当てるＲＢに対するスケジューリングの制約が緩和されるため、音声通話を行うLTE端末を収容するセルでは、LTE端末が割り当てられる数、すなわち、音声端末収容数が減少することを防ぐことができる。
【０１５２】
なお、本実施の形態では、LTE+端末のみで用いるセル固有ＲＳが、各サブフレームにおいて、Ｄｉｓｔｒｉｂｕｔｅｄ  ＲＢ割当におけるＲＢ間隔だけ離れた複数のＲＢに配置される場合について説明した。しかし、本発明では、LTE+端末のみで用いるセル固有ＲＳは、各サブフレームにおいて、Ｄｉｓｔｒｉｂｕｔｅｄ  ＲＢ割当におけるＲＢ間隔の１／Ｎ（ただし、Ｎは正の整数）だけ離れた複数のＲＢに配置されてもよい。
【０１５３】
また、3GPP-LTEでは、Ｄｉｓｔｒｉｂｕｔｅｄ  ＲＢ割当におけるＲＢ間隔（ホッピング間隔）は、ＲＢグループを構成するＲＢ数の整数倍となる。よって、基地局１００が、端末に対して、ＲＢグループ単位でＤｉｓｔｒｉｂｕｔｅｄ  ＲＢ割当を行う場合には、LTE+端末のみで用いるセル固有ＲＳは、各サブフレームにおいて、ＲＢグループ単位で配置され、かつ、Ｄｉｓｔｒｉｂｕｔｅｄ  ＲＢ割当におけるＲＢ間隔（ホッピング間隔）だけ離れたＲＢグループに配置されればよい。
【０１５４】
すなわち、基地局１００は、１フレーム内の同一サブフレームにおいて、LTE+端末のみで用いるセル固有ＲＳを、Ｄｉｓｔｒｉｂｕｔｅｄ  ＲＢ割当におけるＲＢ間隔（ホッピング間隔）だけ離れた複数のＲＢグループをそれぞれ構成するリソースブロックに配置すればよい。
【０１５５】
ここで、LTE+端末のみで用いるセル固有ＲＳが、実施の形態３と同様にして、サブフレーム毎に１ＲＢグループずつ周波数領域でシフトさせたＲＢにＲＢグループ単位で配置される場合のＲＳの配置例を図１８に示す。なお、１つのＲＢグループは、２つのＲＢで構成される（つまり、ＲＢグループサイズ：２ＲＢ）。また、Ｄｉｓｔｒｉｂｕｔｅｄ  ＲＢ割当におけるＲＢ間隔（ホッピング間隔）を８ＲＢとする。すなわち、Ｄｉｓｔｒｉｂｕｔｅｄ  ＲＢ割当におけるＲＢ間隔（８ＲＢ）は、ＲＢグループサイズ（２ＲＢ）の４倍（整数倍）となる。
【０１５６】
よって、図１８に示すように、サブフレーム０では、Ｒ４〜Ｒ７が、１つのＲＢグループを構成するＲＢ０およびＲＢ１、および、そのＲＢグループ（ＲＢ０およびＲＢ１）か
ら８ＲＢだけ離れたＲＢグループを構成するＲＢ８およびＲＢ９にそれぞれ配置される。同様に、図１８に示すように、サブフレーム１では、Ｒ４〜Ｒ７が、１つのＲＢグループを構成するＲＢ２およびＲＢ３、および、そのＲＢグループ（ＲＢ２およびＲＢ３）から８ＲＢだけ離れたＲＢグループを構成するＲＢ１０およびＲＢ１１にそれぞれ配置される。サブフレーム２およびサブフレーム３についても同様である。
【０１５７】
これにより、実施の形態３と同様、端末をＲＢグループ単位で割り当てることによる、LTE端末を割り当てるＲＢに対するスケジューリングの制約を最小限にすることができる。また、本実施の形態と同様、ＤｉｓｔｒｉｂｕｔｅｄＲＢ割当により端末をＲＢに割り当てることによる、LTE端末を割り当てるＲＢに対するスケジューリングの制約を最小限にすることができる。つまり、本発明の実施の形態３および本実施の形態の組み合わせは、LTE-advancedのシステムに好適である。
【０１５８】
さらに、図１８に示すようなＲＳの配置パターンを用いることにより、ＲＢグループ単位のＲＢ割当（type0割当）を用いて高速伝送を行うLTE端末を収容するセルと、Ｄｉｓｔｒｉｂｕｔｅｄ  ＲＢ割当を用いて音声通話を行うLTE端末を収容するセルとで共通のフォーマットを用いてセル固有ＲＳを送信することができる。このため、システムの簡素化を実現することができる。
【０１５９】
なお、本実施の形態では、１フレームを構成するサブフレーム数を４サブフレームとし、１サブフレームの複数のサブキャリアを１６個のＲＢに分ける場合について説明した。しかし、本発明では、１フレームを構成するサブフレーム数は４個に限定されず、１サブフレームの複数のサブキャリアを分けるＲＢ数は１６個に限定されない。
【０１６０】
（実施の形態５）
移動体通信では、下り回線で基地局から端末へ伝送されるパケット（下り回線データ）に対してＨＡＲＱ（Hybrid Automatic Repeat reQuest）が適用され、パケット（下り回線データ）の誤り検出結果を示す応答信号が上り回線で基地局へフィードバックされる。端末はパケット（下り回線データ）に誤りが無ければＡＣＫ（Acknowledgment）信号を、誤りが有ればＮＡＣＫ（Negative Acknowledgment）信号を応答信号として基地局へフィードバックする。そして、基地局は、端末からＮＡＣＫ信号がフィードバックされると、パケット（下り回線データ）の再送、つまり、ＨＡＲＱ再送を行う。
【０１６１】
また、端末からＮＡＣＫ信号がフィードバックされた場合、基地局がＮＡＣＫ信号の受信後、予め設定された所定時間経過後に、初回送信時と同一のＲＢを用いてパケット（再送パケット）を再送するsynchronous/non-adaptive再送がある。synchronous/non-adaptive再送では、パケットの再送を通知するためのシグナリングが不要となるため、再送パケットに対する制御信号のオーバーヘッドを抑えることができる。
【０１６２】
しかしながら、LTE端末とLTE+端末とが共存する場合には、LTE端末への初回送信時のパケットに対して、LTE端末およびLTE+端末の双方で用いるセル固有ＲＳが配置されたＲＢが割り当てられたにも関わらず、初回送信時から所定時間経過後の再送時には、LTE+端末のみで用いるセル固有ＲＳが配置されたＲＢが割り当てられる可能性がある。この場合、基地局は、LTE端末に対して再送パケットを再送できなくなる。
【０１６３】
そこで、本実施の形態では、各ＲＢ（またはＲＢグループ）において、LTE+端末のみで用いるセル固有ＲＳを、ＨＡＲＱにおける再送間隔（すなわち、予め設定された所定時間）と同一の時間間隔（すなわち、サブフレーム間隔）で配置する。
【０１６４】
以下、本実施の形態におけるセル固有ＲＳの配置方法について説明する。以下の説明で
は、基地局１００の設定部１０５で設定されるセル固有ＲＳの配置パターンが実施の形態１と異なる。また、ＨＡＲＱ（synchronous/non-adaptive再送）における再送間隔を４サブフレームとする。また、図１９に示すように、LTE+端末のみで用いるセル固有ＲＳ（Ｒ４〜Ｒ７）が、同一サブフレームの４つのＲＢ（または、２つのＲＢグループ）に配置される。
【０１６５】
よって、図１９に示すように、ＲＢ０、ＲＢ１、ＲＢ８およびＲＢ９では、Ｒ４〜Ｒ７が、サブフレーム０、および、サブフレーム０から４サブフレーム（ＨＡＲＱにおける再送間隔）経過後のサブフレーム４に配置される。同様に、図１９に示すように、ＲＢ２、ＲＢ３、ＲＢ１０およびＲＢ１１では、Ｒ４〜Ｒ７が、サブフレーム１、および、サブフレーム１から４サブフレーム（ＨＡＲＱ再送における再送間隔）経過後のサブフレーム５に配置される。ＲＢ４〜ＲＢ７およびＲＢ１２〜ＲＢ１５についても同様である。
【０１６６】
図１９に示すように、各ＲＢでは、LTE+端末のみで用いるセル固有ＲＳ（Ｒ４〜Ｒ７）は、ＨＡＲＱにおける再送間隔（すなわち、再送周期）と同一の時間間隔で配置されている。換言すると、各ＲＢにおいて、LTE端末およびLTE+端末の双方で用いるセル固有ＲＳが配置されるサブフレームから、ＨＡＲＱにおける再送間隔だけ経過後のサブフレームには、LTE+端末のみで用いるセル固有ＲＳが配置されることはない。つまり、各ＲＢにおいて、LTE端末およびLTE+端末の双方で用いるセル固有ＲＳが配置されるサブフレームから、ＨＡＲＱにおける再送間隔だけ経過後のサブフレームには、LTE端末およびLTE+端末の双方で用いるセル固有ＲＳが確実に配置される。
【０１６７】
よって、例えば、基地局１００は、図１９に示すサブフレーム０のＲＢ２およびＲＢ３を用いてLTE端末へパケットを初回送信する場合を想定する。この場合、LTE端末からＮＡＣＫ信号がフィードバックされた場合でも、基地局１００は、初回送信時のサブフレームから４サブフレーム（ＨＡＲＱにおける再送間隔）経過後のサブフレーム４において、LTE端末へ再送パケットを確実に再送することができる。
【０１６８】
このようにして、本実施の形態によれば、各ＲＢにおいて、LTE+端末のみで用いるセル固有ＲＳを、ＨＡＲＱにおける再送間隔（再送周期）と同一の時間間隔で配置する。これにより、セル固有ＲＳの配置がLTE端末のsynchronous/non-adaptive再送を妨げることがないため、LTE端末のスループットが劣化することを防ぐことができる。
【０１６９】
なお、ＨＡＲＱにおける再送間隔はＨＡＲＱプロセス数と同じである。つまり、例えば、ＨＡＲＱの再送間隔が８サブフレームの場合には、端末当たり８個のＨＡＲＱプロセスが存在する。従って、本発明では、各ＲＢにおいて、LTE+端末のみで用いるセル固有ＲＳが配置される時間間隔（すなわち、LTE+端末のみで用いるセル固有ＲＳの送信周期）をＨＡＲＱプロセス数に対応する時間間隔としてもよい。
【０１７０】
また、本実施の形態では、パケットが１回目の再送時についてのみ説明した。しかし、本発明では、２回目以上の再送回数の場合でも同様に、各再送タイミングにおいて再送に用いるＲＢと、LTE+端末のみで用いるセル固有ＲＳが送信されるＲＢとが重なることがなくなる。
【０１７１】
また、本実施の形態では、各ＲＢにおいて、LTE+端末のみで用いるセル固有ＲＳを、ＨＡＲＱの再送間隔（送信周期）と同一の時間間隔で配置する場合について説明した。しかし、本発明では、各ＲＢでLTE+端末のみで用いるセル固有ＲＳを配置する時間間隔は、ＨＡＲＱの再送間隔（送信周期）の整数倍でもよく、ＨＡＲＱの再送間隔（送信周期）の１／Ｎ（Ｎは正の整数）でもよい。なお、各ＲＢでLTE+端末のみで用いるセル固有ＲＳを配置する時間間隔がＨＡＲＱの再送間隔の整数倍のときは、再送に用いるＲＢと、LTE+端末
のみで用いるセル固有ＲＳを送信するＲＢとが重なる場合が生じる。しかし、再送に用いるＲＢと、LTE+端末のみで用いるセル固有ＲＳを送信するＲＢとが重なる確率は低減できる。
【０１７２】
また、本実施の形態では、１フレームを構成するサブフレーム数を８サブフレームとし、１サブフレームの複数のサブキャリアを１６個のＲＢに分ける場合について説明した。しかし、本発明では、１フレームを構成するサブフレーム数は８個に限定されず、１サブフレームの複数のサブキャリアを分けるＲＢ数は１６個に限定されない。
【０１７３】
（実施の形態６）
3GPP-LTEでは、LTE+端末は、ＣＱＩを基地局へフィードバックする際、所定の周期（以下、ＣＱＩ報告周期）で、複数のＲＢを束ねたサブバンド単位でＣＱＩを報告する。例えば、システム帯域内に４つのサブバンドが存在する場合、LTE+端末は、それぞれのサブバンドのチャネル品質を示す４つのＣＱＩ、および、システム帯域全体の平均チャネル品質を示す平均ＣＱＩをＣＱＩ報告周期で基地局に報告する。
【０１７４】
また、各LTE+端末は、各サブバンドを構成するＲＢ毎に、LTE+端末のみで用いるセル固有ＲＳ（Ｒ４〜Ｒ７）を用いてチャネル品質を測定し、サブバンドのＣＱＩを生成する。つまり、LTE+端末が各サブバンドのＣＱＩを生成するには、各サブバンドを構成するすべてのＲＢでチャネル品質が測定される必要がある。
【０１７５】
そこで、本実施の形態では、各ＲＢにおいて、LTE+端末のみで用いるセル固有ＲＳを、ＣＱＩ報告周期と同一の時間間隔で配置する。また、本実施の形態では、各サブフレームでは、LTE+端末のみで用いるセル固有ＲＳを、サブバンド単位で配置する。
【０１７６】
以下、本実施の形態におけるセル固有ＲＳの配置方法について説明する。以下の説明では、基地局１００の設定部１０５で設定されるセル固有ＲＳの配置パターンが実施の形態１と異なる。また、図２０に示すように、システム帯域を１６ＲＢ（ＲＢ０〜ＲＢ１５）とし、１つのサブバンドは４つのＲＢで構成される（つまり、サブバンドサイズ：４ＲＢ）。具体的には、図２０に示すように、サブバンド０はＲＢ０〜ＲＢ３で構成され、サブバンド１はＲＢ４〜ＲＢ７で構成され、サブバンド２はＲＢ８〜ＲＢ１１で構成され、サブバンド３はＲＢ１２〜ＲＢ１５で構成される。また、ＣＱＩ報告周期を４サブフレームとする。
【０１７７】
よって、図２０に示すように、サブバンド０を構成するＲＢ０〜ＲＢ３では、Ｒ４〜Ｒ７が、サブフレーム０、および、サブフレーム０から４サブフレーム（ＣＱＩ報告周期）経過後のサブフレーム４に配置される。同様に、図２０に示すように、サブバンド１を構成するＲＢ４〜ＲＢ７では、Ｒ４〜Ｒ７が、サブフレーム１、および、サブフレーム１から４サブフレーム（ＣＱＩ報告周期）経過後のサブフレーム５に配置される。サブバンド２を構成するＲＢ８〜ＲＢ１１およびサブバンド３を構成するＲＢ１２〜ＲＢ１５についても同様である。
【０１７８】
図２０に示すように、各サブフレームにおいて、Ｒ４〜Ｒ７は、基地局１００からLTE+端末へサブバンド単位で送信される。これにより、LTE+端末は、１つのサブバンドを構成するすべてのＲＢのチャネル品質を１サブフレームで測定することができる。また、図２０に示すように、各サブバンドにおいて、Ｒ４〜Ｒ７は、ＣＱＩ報告周期である４サブフレーム間隔で基地局１００からLTE+端末へ送信される。つまり、各ＲＢにおけるLTE+端末のみで用いるセル固有ＲＳの送信周期は、ＣＱＩ報告周期と同一となる。よって、LTE+端末は、ＣＱＩ報告周期である４サブフレームに渡って、すべてのサブバンド０〜３におけるすべてのＲＢのチャネル品質を測定することができる。
【０１７９】
すなわち、LTE+端末は、１回のＣＱＩ報告周期（４サブフレーム間隔）で、４つのサブバンド０〜３毎のＣＱＩおよびシステム帯域全体（図２０に示すＲＢ０〜ＲＢ１５）の平均ＣＱＩを生成することができる。これにより、LTE+端末は、１回のＣＱＩ報告周期でシステム帯域全体のすべてのＣＱＩを報告することができるため、ＣＱＩ報告の遅延を最小限に抑えることができる。
【０１８０】
また、１回のＣＱＩ報告周期でシステム帯域全体のすべてのＣＱＩを報告する場合、複数のＣＱＩ報告周期でシステム帯域全体のすべてのＣＱＩを報告する場合よりもＣＱＩのデータサイズはより大きくなる。ここで、符号化データサイズがより大きいほど、符号化ゲインはより大きくなる。よって、LTE+端末が１回のＣＱＩ報告周期でシステム帯域全体のすべてのＣＱＩを報告することにより、符号化ゲインがより大きくなるため、ＣＱＩの符号化効率が良くなる。
【０１８１】
このようにして、本実施の形態によれば、LTE+端末のみで用いるセル固有ＲＳを、各ＲＢではＣＱＩ報告周期と同一の時間間隔で配置し、かつ、各サブフレームではサブバンド単位で配置する。これにより、実施の形態１と同様の効果を得ることができ、かつ、ＣＱＩ報告の遅延を最小限に抑えることができる。
【０１８２】
なお、本発明では、LTE+端末のみで用いるセル固有ＲＳは、各サブフレームではサブバンド単位で配置され、かつ、各サブバンドではＣＱＩ報告周期と同一の時間間隔で配置されていればよい。例えば、図２０の代わりに、図２１に示すように、周波数領域で隣接するサブバンドにおいて、LTE+端末のみで用いるセル固有ＲＳ（Ｒ４〜Ｒ７）を、時間領域および周波数領域で非連続なＲＢおよびサブフレームに配置してもよい。
【０１８３】
また、本実施の形態において、複数のＣＱＩ報告周期が定義され、そのうち１つを端末毎に選択する場合には、基地局は、複数のＣＱＩ報告周期のうち１つのＣＱＩ報告周期、例えば、最も典型的なＣＱＩ報告周期と同一の送信周期（時間間隔）で、LTE+端末のみで用いるセル固有ＲＳを送信すればよい。
【０１８４】
また、本実施の形態では、ＣＱＩ報告周期は、報告対象のサブバンドのすべてのＣＱＩが報告される周期であればよく、例えば、LTE+端末は、ＣＱＩ報告周期内で、各サブバンドのＣＱＩを時間領域で連続して順番に報告してもよい。
【０１８５】
また、本実施の形態では、LTE+端末が、各サブバンドで生成したすべてのＣＱＩを報告する場合について説明した。しかし、本発明では、LTE+端末は、各サブバンドで生成したすべてのＣＱＩのうち、チャネル品質がより良好な上位のサブバンドのＣＱＩのみを報告してもよい。
【０１８６】
また、本発明では、各サブフレームにおいて、LTE+端末のみで用いるセル固有ＲＳを、サブバンドを構成するＲＢ数（サブバンドサイズ）とＲＢグループを構成するＲＢ数（ＲＢグループサイズ）との最小公倍数の単位で配置してもよい。この場合、本実施の形態と同様の効果を得ることができ、かつ、実施の形態３と同様の効果も得ることができる。ここで、3GPP-LTEでは、サブバンドサイズは、ＲＢグループサイズの整数倍である。よって、3GPP-LTEでは、上述したように、LTE+端末のみで用いるセル固有ＲＳをサブバンド単位で配置すると、LTE+端末のみで用いるセル固有ＲＳは、サブバンドサイズとＲＢグループサイズとの最小公倍数の単位で常に配置されることになる。
【０１８７】
また、本実施の形態では、各ＲＢにおいて、LTE+端末のみで用いるセル固有ＲＳがＣＱＩ報告周期内の１サブフレームに配置される場合について説明した。しかし、本発明では
、各ＲＢにおいて、LTE+端末のみで用いるセル固有ＲＳは、ＣＱＩ報告周期内の複数のサブフレームに配置されてもよい。つまり、LTE+端末のみで用いるセル固有ＲＳの送信周期を、ＣＱＩ報告周期よりも速くしてもよい。この場合、LTE+端末は、各ＲＢにおいて、複数のサブフレームで測定されたチャネル品質の平均値を得ることにより、ＣＱＩの精度をより向上させることができる。
【０１８８】
また、3GPP-LTEでは、上り回線の制御チャネル（例えば、ＰＵＣＣＨ（Physical Dedicated Control Channel））で送信できる制御信号のビット数は限られている。このため、3GPP-LTEでは、Ｎサブフレーム毎にＣＱＩが１つずつ基地局に報告されるモード（PeriodicのUE selected subband feedback）が検討されている。ここで、ＣＱＩが報告されるＮサブフレーム毎の周期をＣＱＩ報告周期とする。このＣＱＩ報告モードでは、システム帯域をＭ分割したうちの１つの帯域（bandwidth part：以下、部分帯域という）内で最も良好なチャネル品質のサブバンドのＣＱＩが、ＣＱＩ報告周期で報告される。また、各ＣＱＩ報告周期においてＣＱＩ報告の対象となる部分帯域は、Ｎサブフレーム毎にシフトする。つまり、各部分帯域毎にＣＱＩを測定するサブフレーム（ＣＱＩ測定サブフレーム）が異なる。本発明をこのＣＱＩ報告モードに適用するためには、LTE+端末のみで用いるセル固有ＲＳを、各サブフレームでは、各部分帯域に含まれるサブバンド単位で配置し、かつ、各サブバンドでは、各部分帯域毎のＣＱＩ報告周期（Ｎサブフレーム）のＭ倍の周期（（Ｎ×Ｍ）サブフレーム）で配置すればよい。つまり、各ＲＢにおいて、LTE+端末のみで用いるセル固有ＲＳが配置される時間間隔を、部分帯域におけるＣＱＩ報告周期のＭ倍とすればよい。例えば、Ｎ＝４とし、Ｍ＝２とする場合、つまり、部分帯域毎のＣＱＩ報告周期が４サブフレームとなり、システム帯域全体が部分帯域０と部分帯域１とに分割される場合のＲＳの配置例を図２２に示す。また、図２２では、サブフレーム０〜３を部分帯域０のＣＱＩ測定サブフレームとし、部分帯域０に関するＣＱＩは、ＣＱＩ測定および送信準備にかかる所定時間経過後に報告される。また、サブフレーム４〜７を部分帯域１のＣＱＩ測定サブフレームとし、部分帯域１に関するＣＱＩは、部分帯域０と同様の所定時間経過後に報告される。つまり、ＣＱＩ報告周期は４サブフレームとなる。この場合、図２２に示すように、部分帯域０（サブバンド０およびサブバンド１）では、LTE+端末のみで用いるセル固有ＲＳ（Ｒ４〜Ｒ７）は、部分帯域０のＣＱＩ測定サブフレームであるサブフレーム０〜３のうちサブフレーム０およびサブフレーム２に配置される。また、部分帯域１（サブバンド２およびサブバンド３）では、LTE+端末のみで用いるセル固有ＲＳ（Ｒ４〜Ｒ７）は、部分帯域１のＣＱＩ測定サブフレームであるサブフレーム４〜７のうちサブフレーム４およびサブフレーム６に配置される。なお、図２２に示すサブフレーム８以降では、サブフレーム０〜７のセル固有ＲＳの配置が繰り返される。つまり、図２２では、各ＲＢにおいて、LTE+端末のみで用いるセル固有ＲＳが配置される時間間隔は、部分帯域毎のＣＱＩ報告周期Ｎ（＝４サブフレーム）のＭ（＝２部分帯域）倍である８サブフレームとなる。
【０１８９】
また、本実施の形態では、１フレームを構成するサブフレーム数を８サブフレームとし、１サブフレームの複数のサブキャリアを１６個のＲＢに分ける場合について説明した。しかし、本発明では、１フレームを構成するサブフレーム数は８個に限定されず、１サブフレームの複数のサブキャリアを分けるＲＢ数は１６個に限定されない。
【０１９０】
（実施の形態７）
3GPP-LTEでは、基地局は、一度割り当てられたＲＢを所定の周期（時間間隔）で継続して使用し続けるＳＰＳにより、一部のLTE端末をＲＢに割り当てる。ここでは、ＳＰＳによりLTE端末が割り当てられたＲＢの送信周期をＳＰＳ送信周期という。ＳＰＳによりLTE端末をＲＢに割り当てることにより、基地局は、送信データを送信する度にＲＢの割当結果を示す制御情報をLTE端末へ通知する必要が無くなる。
【０１９１】
しかしながら、LTE端末とLTE+端末とが共存する場合には、ＳＰＳ送信周期のある送信タイミングでは、LTE端末およびLTE+端末の双方で用いるセル固有ＲＳが配置されたＲＢにLTE端末への送信データが割り当てられた場合でも、ＳＰＳ送信周期の別の送信タイミングでは、LTE+端末のみで用いるセル固有ＲＳが配置されたＲＢにLTE端末への送信データが割り当てられる可能性がある。この場合、基地局は、ＳＰＳにより割り当てられたLTE端末に対して送信データを送信できなくなる。
【０１９２】
そこで、本実施の形態では、各ＲＢ（またはＲＢグループ）において、LTE+端末のみで用いるセル固有ＲＳを、ＳＰＳ送信周期の１／Ｎ（ただし、Ｎは正の整数）の時間間隔で配置する。
【０１９３】
以下、本実施の形態におけるセル固有ＲＳの配置方法について説明する。以下の説明では、基地局１００の設定部１０５で設定されるセル固有ＲＳの配置パターンが実施の形態１と異なる。また、ＳＰＳ送信周期を８サブフレームとする。つまり、ＳＰＳにより割り当てられた端末への送信データは、８サブフレーム毎に送信される。また、図２３に示すように、LTE+端末のみで用いるセル固有ＲＳ（Ｒ４〜Ｒ７）が、同一サブフレームの４つのＲＢ（または、２つのＲＢグループ）に配置される。
【０１９４】
よって、図２３に示すように、ＲＢ０、ＲＢ１、ＲＢ８およびＲＢ９では、Ｒ４〜Ｒ７が、サブフレーム０、および、サブフレーム０から８サブフレーム（ＳＰＳ送信周期）経過後のサブフレーム８に配置される。同様に、図２３に示すように、ＲＢ２、ＲＢ３、ＲＢ１０およびＲＢ１１では、Ｒ４〜Ｒ７が、サブフレーム２、および、サブフレーム２から８サブフレーム（ＳＰＳ送信周期）経過後のサブフレーム１０に配置される。ＲＢ４〜ＲＢ７およびＲＢ１２〜ＲＢ１５についても同様である。
【０１９５】
図２３に示すように、各ＲＢでは、LTE+端末のみで用いるセル固有ＲＳ（Ｒ４〜Ｒ７）は、ＳＰＳ送信周期（図２３では８サブフレーム）と同一の時間間隔で配置されている。換言すると、各ＲＢにおいて、LTE端末およびLTE+端末の双方で用いるセル固有ＲＳが配置されるサブフレームからＳＰＳ送信周期だけ経過後のサブフレームには、LTE+端末のみで用いるセル固有ＲＳが配置されることはない。つまり、各ＲＢにおいて、LTE端末およびLTE+端末の双方で用いるセル固有ＲＳが配置されるサブフレームからＳＰＳ送信周期だけ経過後のサブフレームには、LTE端末およびLTE+端末の双方で用いるセル固有ＲＳが確実に配置される。
【０１９６】
よって、例えば、基地局１００は、図２３に示すサブフレーム０のＲＢ２およびＲＢ３を用いて、ＳＰＳにより割り当てられたLTE端末への送信データを送信すれば、次回以降のＳＰＳ送信タイミング（例えば、図２３に示すサブフレーム８）でもLTE端末へ送信データを確実に送信することができる。
【０１９７】
このようにして、本実施の形態によれば、各ＲＢにおいて、LTE+端末のみで用いるセル固有ＲＳを、ＳＰＳ送信周期と同一の時間間隔で配置する。これにより、LTE端末に対してＳＰＳにより割り当てられたＲＢにLTE+端末のみで用いるセル固有ＲＳが配置されたＲＢが混在することがなくなる。これにより、ＳＰＳにより割り当てられたLTE端末の通信品質の劣化を防ぐことができ、LTE端末のスループットが劣化することを防ぐことができる。
【０１９８】
なお、本実施の形態では、各ＲＢにおいて、LTE+端末のみで用いるセル固有ＲＳを、ＳＰＳ送信周期と同一の時間間隔（図２３に示す８ＲＳの送信周期）で配置する場合について説明した。しかし、本発明では、各ＲＢでLTE+端末のみで用いるセル固有ＲＳを配置する時間間隔は、ＳＰＳ送信周期の１／Ｎ（例えば、図２３では、４サブフレーム間隔また
は２サブフレーム間隔）でもよい。
【０１９９】
また、本実施の形態では、１フレームを構成するサブフレーム数を１１サブフレームとし、１サブフレームの複数のサブキャリアを１６個のＲＢに分ける場合について説明した。しかし、本発明では、１フレームを構成するサブフレーム数は１１個に限定されず、１サブフレームの複数のサブキャリアを分けるＲＢ数は１６個に限定されない。
【０２００】
（実施の形態８）
3GPP-LTEでは、報知情報は、物理リソースの使用方法により、ＭＩＢ（Master Information Block）、ＳＩＢ（System Information Block）１、および、ＳＩＢ２〜ＳＩＢ１１（すなわち、ＳＩＢ２以降のＳＩＢ）の３種類に分類できる。
【０２０１】
具体的には、ＭＩＢは、固定のサブフレーム（例えば、サブフレーム０）および固定の周波数リソースを用いたＰ−ＢＣＨ（Physical Broadcast Channel）で送信される。また、ＳＩＢ１は、固定のサブフレーム（例えば、２フレームおきのサブフレーム５）で送信される。また、ＳＩＢ２以降のＳＩＢは、ＳＩＢ１内に含まれるスケジューリング情報に示される、送信可能なサブフレーム（SI-window）のうちいずれかで送信される。ＳＩＢ２以降のＳＩＢの場合、ＳＩＢが送信されるサブフレームは、そのサブフレームで通知される下り回線の制御チャネル（例えば、ＰＤＣＣＨ（Physical Dedicated Control Channel））に示される。つまり、端末は、そのサブフレームでＰＤＣＣＨを受信するまでは、ＳＩＢ２以降のＳＩＢがいずれのサブフレームで送信されるか分からない。なお、ＰＤＣＣＨにはＳＩＢ２以降のＳＩＢがどのＲＢを用いて送信されるかを示す情報も含まれる。
【０２０２】
ここで、上述した報知情報はLTE端末およびLTE+端末の双方で受信される必要があるため、報知情報がLTE+端末のみで用いるセル固有ＲＳが配置されたＲＢを用いて送信されると、LTE端末は報知情報を受信できなくなってしまう。
【０２０３】
そこで、本実施の形態では、LTE+端末のみで用いるセル固有ＲＳを、報知情報が割り当てられるサブフレームおよびＲＢに応じて配置する。
【０２０４】
以下、本実施の形態におけるセル固有ＲＳの配置方法について説明する。以下の説明では、基地局１００の設定部１０５で設定されるセル固有ＲＳの配置パターンが実施の形態１と異なる。
【０２０５】
まず、ＭＩＢまたはＳＩＢ１が送信されるサブフレームについて説明する。
【０２０６】
ＭＩＢまたはＳＩＢ１が送信されるサブフレームには、LTE+端末のみで用いるセル固有ＲＳは配置されない。つまり、LTE+端末のみで用いるセル固有ＲＳは、ＭＩＢまたはＳＩＢ１が送信されるサブフレーム（報知情報送信サブフレーム）以外のサブフレームに配置される。例えば、図２４に示すように、報知情報（ＭＩＢまたはＳＩＢ１）がサブフレーム１で送信される場合には、Ｒ４〜Ｒ７は、サブフレーム１以外のサブフレーム、つまり、図２４ではサブフレーム０、２〜７に配置される。すなわち、図２４に示すサブフレーム１には、Ｒ４〜Ｒ７が配置されない。なお、図２４では、Ｒ４〜Ｒ７は、報知情報が送信されるサブフレーム以外のサブフレーム０、２〜７毎に周波数領域に２ＲＢずつシフトしたＲＢに配置される。
【０２０７】
次いで、ＳＩＢ２以降のＳＩＢが送信されるサブフレームについて説明する。
【０２０８】
ＳＩＢ２以降のＳＩＢが送信されるサブフレームには、LTE+端末のみで用いるセル固有ＲＳは、例えば実施の形態３（図１５）または実施の形態４（図１８）等と同様にしてＲ
Ｂに配置される。一方、ＳＩＢ２以降のＳＩＢは、LTE+端末のみで用いるセル固有ＲＳが配置されるＲＢ以外のＲＢを用いて送信される。
【０２０９】
このように、LTE+端末のみで用いるセル固有ＲＳが、ＭＩＢまたはＳＩＢ１が送信されるサブフレーム以外のサブフレームに配置される。ＭＩＢまたはＳＩＢ１が送信されるサブフレームはLTE+端末では既知であるため、LTE+端末は、ＭＩＢまたはＳＩＢ１が送信されるサブフレームではＣＱＩ測定を行わないようにすることができる。
【０２１０】
また、LTE端末およびLTE+端末の双方で受信される必要があるＭＩＢまたはＳＩＢ１が送信されるサブフレームでは、LTE+端末のみで用いるセル固有ＲＳが配置されないため、報知情報の送信に用いることができるＲＢをより多く確保することができる。これにより、報知情報が送信されるサブフレームでは、基地局１００は、報知情報を十分低い符号化率で符号化して送信することにより、報知情報の誤り率特性が劣化することを防ぐことができる。
【０２１１】
これに対し、ＳＩＢ２以降のＳＩＢについては、ＳＩＢ２以降のＳＩＢが、LTE+端末のみで用いるセル固有ＲＳが配置されたＲＢ以外のＲＢを用いて送信される。ここで、ＳＩＢ２以降のＳＩＢが送信されるサブフレームはLTE+端末では未知である。しかし、本実施の形態によれば、LTE+端末は、ＳＩＢ２以降のＳＩＢが送信されるサブフレームであるか否かに関わらず、通常のＣＱＩ測定を行うことができる。従って、LTE+端末では、ＰＤＣＣＨを受信した後にＣＱＩ測定を行うか否かを判定する必要がなく、端末処理の簡素化および遅延の低減を実現できる。また、ＳＩＢ２以降のＳＩＢは、LTE端末およびLTE+端末の双方で用いるセル固有ＲＳが配置されたＲＢで送信されるため、LTE端末でも報知情報を確実に受信することが可能となる。
【０２１２】
なお、上述した、LTE端末およびLTE+端末の双方で受信される必要がある報知情報に対して、LTE+端末のみで受信される必要がある報知情報（LTE+端末向けの報知情報ＳＩＢ＋）が送信されるサブフレームは、LTE+端末では既知である。また、LTE+端末のみで用いるセル固有ＲＳの配置も、LTE+端末では既知である。よって、LTE+端末向けの報知情報ＳＩＢ＋が送信される場合には、セル固有ＲＳが配置されるサブフレーム（またはＲＢ）、および、ＳＩＢ＋が送信されるサブフレーム（またはＲＢ）について制約を設けなくてもよい。
【０２１３】
このように、本実施の形態によれば、LTE端末およびLTE+端末の双方で報知情報を確実に受信することが可能となり、かつ、報知情報が送信されるサブフレームにおいて、報知情報の誤り率特性が劣化することを防ぐことができる。
【０２１４】
なお、本実施の形態では、ＳＩＢ２以降のＳＩＢが、LTE+端末のみで用いるセル固有ＲＳが配置されるＲＢ以外のＲＢを用いて送信される場合について説明した。しかし、本発明では、ＳＩＢ２以降のＳＩＢは、例えば、LTE+端末のみで用いるセル固有ＲＳが配置されたサブフレーム以外のサブフレームで送信してもよい。または、LTE+端末のみで用いるセル固有ＲＳを、ＳＩＢ１で通知されるSI-windowに基づいて、ＳＩＢ２以降のＳＩＢが送信されるサブフレーム以外のサブフレームに配置されるようにしてもよい。
【０２１５】
また、本実施の形態では、図２４に示すように、LTE+端末のみで用いるセル固有ＲＳが、報知情報が送信されるサブフレーム（図２４ではサブフレーム１）を含まないサブフレーム毎にシフトしたＲＢに配置される場合について説明した。すなわち、LTE+端末のみで用いるセル固有ＲＳは、図２４に示すサブフレーム０、２〜７毎に周波数領域で２ＲＢずつシフトしたＲＢに配置されるについて説明した。しかし、本発明では、図２５に示すように、LTE+端末のみで用いるセル固有ＲＳは、報知情報が送信されるサブフレーム（図２
５ではサブフレーム１）を含むサブフレーム毎に周波数領域でシフトしたＲＢに配置されてもよい。ただし、報知情報が送信されるサブフレームでは、LTE+端末のみで用いるセル固有ＲＳは配置されない。具体的には、LTE+端末のみで用いるセル固有ＲＳを、図２５に示すサブフレーム０〜７毎に周波数領域で２ＲＢずつシフトしたＲＢに配置する。ただし、報知情報が送信されるサブフレーム１のＲＢ２およびＲＢ３（ＲＢ１０およびＲＢ１１）には、LTE+端末のみで用いるセル固有ＲＳは配置されない。これにより、報知情報が送信されるサブフレームがセル毎に異なる場合でも、LTE+端末のみで用いるセル固有ＲＳが配置され得るＲＢは各セルで同一となる。また、LTE+端末のみで用いるセル固有ＲＳが配置されるＲＢは、報知情報の有無に関わらず特定の周期で一定となる。よって、本実施の形態と同様にして、各セルに位置するLTE+端末は、報知情報が送信されるサブフレームでＣＱＩの測定を行わないようにするだけでよく、LTE+端末のＣＱＩ測定に必要な回路を簡素化することができる。また、セル間でのＲＳ同士の干渉を回避するために、LTE+端末のみで用いるセル固有ＲＳをセル間で互いに異なるＲＢに割り当てる場合には、LTE+端末のみで用いるセル固有ＲＳが配置されるＲＢの関係（干渉回避のためのＲＢの配置関係）は報知情報の有無に関わらずセル間で維持される。このため、干渉軽減効果を劣化させることがない。
【０２１６】
また、本実施の形態では、ＭＩＢおよびＳＩＢ１〜ＳＩＢ１１に限らず、例えば、ＭＢＳＦＮ（MBMS Single Frequency Network）のデータが送信されるサブフレーム（ＭＢＳＦＮサブフレーム）でも、LTE+端末のみで用いるセル固有ＲＳを配置しないようにしてもよい。つまり、LTE+端末のみで用いるセル固有ＲＳを、ＭＢＳＦＮサブフレーム以外のサブフレームに配置してもよい。
【０２１７】
また、本実施の形態では、１フレームを構成するサブフレーム数を８サブフレームとし、１サブフレームの複数のサブキャリアを１６個のＲＢに分ける場合について説明した。しかし、本発明では、１フレームを構成するサブフレーム数は８個に限定されず、１サブフレームの複数のサブキャリアを分けるＲＢ数は１６個に限定されない。
【０２１８】
以上、本発明の実施の形態について説明した。
【０２１９】
なお、本発明では、セル固有ＲＳ（Ｒ０〜Ｒ７）のうち、LTE+端末のみで用いるセル固有ＲＳ（Ｒ４〜Ｒ７）の送信電力は、LTE端末およびLTE+端末の双方で用いるセル固有ＲＳ（Ｒ０〜Ｒ３）の送信電力より小さくてもよい。基地局が４本のアンテナを用いて伝送する信号を受信する端末（LTE端末およびLTE+端末）はセル全体に位置することが想定される。これに対し、基地局が８本のアンテナを用いて高速伝送する信号を受信するLTE+端末はチャネル品質が良好であるセル中心付近に位置することが想定される。このため、基地局は、LTE+端末のみで用いるセル固有ＲＳ（Ｒ４〜Ｒ７）を、LTE端末およびLTE+端末の双方で用いるセル固有ＲＳ（Ｒ０〜Ｒ３）の送信電力より小さい送信電力で送信することで、ＲＳの伝送効率を向上することができる。さらに、本発明では、セル固有ＲＳ（Ｒ０〜Ｒ７）のうち、LTE+端末のみで用いるセル固有ＲＳ（Ｒ４〜Ｒ７）の１ＲＢあたりのＲＳのシンボル数（つまり、ＲＳの配置密度）は、LTE端末およびLTE+端末の双方で用いるセル固有ＲＳ（Ｒ０〜Ｒ３）の配置密度より低くてもよい。
【０２２０】
また、上記実施の形態では、LTE端末およびLTE+端末が共存する通信システムについて説明した。しかし、本発明は、LTE端末およびLTE+端末が共存する通信システムに限らず、例えば、Ｎ本のアンテナを具備する基地局のみに対応する端末、および、Ｎ本より多いアンテナを具備する基地局にも対応する端末が共存する通信システムに対して適用することができる。また、本発明は、例えば、通信システムＡで動作する端末１、および、端末１が動作する通信システムＡよりも前のバージョンの通信システムＢでのみ動作する端末２が共存する場合でも適用することができる。
【０２２１】
また、上記実施の形態では、Ｒ０〜Ｒ３が、4Tx基地局または8Tx基地局が備えるアンテナ０〜３（１番目〜４番目のアンテナ）から送信されるＲＳであり、Ｒ４〜Ｒ７が、8Tx基地局が備えるアンテナ４〜７（５番目〜８番目のアンテナ）から送信されるＲＳである場合について説明した。しかし、本発明では、Ｒ０〜Ｒ３は、LTE端末およびLTE+端末で受信されるＲＳであればよく、Ｒ４〜Ｒ７は、LTE+端末のみで受信されるＲＳであればよい。例えば、Ｒ４〜Ｒ７は、協調送信している他の基地局またはリレー局からLTE+端末宛てに送信されるＲＳであってもよい。
【０２２２】
また、８本のアンテナを備える8Tx基地局において、アンテナ数が５本以上８本未満の場合等、つまり、Ｒ４〜Ｒ７の一部のＲＳのみが送信される場合でも、上記実施の形態と同様にして本発明を適用することができる。
【０２２３】
また、上記実施の形態では、LTE+端末のみで用いるセル固有ＲＳが、サブフレーム毎に周波数領域でシフトするＲＢに配置される場合について説明した。しかし、本発明では、LTE+端末のみで用いるセル固有ＲＳは、サブフレーム毎に周波数領域でシフトしないＲＢ、つまり、どのサブフレームでも固定のＲＢに配置されてもよい。
【０２２４】
また、上記実施の形態では、基地局が、LTE+端末のみで用いるセル固有ＲＳを配置するＲＢにLTE端末を割り当てない場合について説明した。ここで、基地局が、LTE+端末のみで用いるセル固有ＲＳを配置するＲＢにLTE端末を割り当てると、LTE端末は、LTE+端末のみで用いるセル固有ＲＳを自局宛てのデータとして受信してしまい受信性能が劣化する。しかし、本発明では、LTE端末に対する性能劣化が許容される場合等には、基地局は、LTE+端末のみで用いるセル固有ＲＳを配置するＲＢに、LTE端末を割り当ててもよい。
【０２２５】
また、端末はUE、基地局はNode B、サブキャリアはトーンと称されることもある。また、ＣＰはガードインターバル（Guard Interval；ＧＩ）と称されることもある。また、セル固有ＲＳは共通ＲＳと称されることもある。また、参照信号はパイロット信号と称されることもある。また、サブフレームはスロットと称されることもある。
【０２２６】
また、アンテナはアンテナポート（antenna port）と称されることもある。なお、複数の物理アンテナを１つのアンテナポートとして用いてもよい。アンテナポート（antenna port）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えば3GPP-LTEにおいては、アンテナポートが何本の物理アンテナから構成されるかは規定されず、基地局が異なる参照信号（Reference signal）を送信できる最小単位として規定されている。また、アンテナポートはプリコーディングベクトル（Precoding vector）の重み付けを乗算する最小単位として規定されることもある。例えば、８本の物理アンテナ（物理アンテナ０〜７）を具備する基地局は、物理アンテナ０，４では、Ｒ０に重み付け（例えば、重み係数（１，１））をかけて送信し、Ｒ４にＲ０の重み付けと直交する重み付け（例えば、重み係数（１，−１））をかけて送信する。同様に、物理アンテナ１，５では、Ｒ１に重み付け（例えば、重み係数（１，１））をかけて送信し、Ｒ５にＲ１の重み付けと直交する重み付け（例えば、重み係数（１，−１））をかけて送信する。また、物理アンテナ２，６では、Ｒ２に重み付け（例えば、重み係数（１，１））をかけて送信し、Ｒ６にＲ２の重み付けと直交する重み付け（例えば、重み係数（１，−１））をかけて送信する。また、物理アンテナ３，７では、Ｒ３に重み付け（例えば、重み係数（１，１））をかけて送信し、Ｒ７にＲ１の重み付けと直交する重み付け（例えば、重み係数（１，−１））をかけて送信する。これにより、LTE+端末は、Ｒ０およびＲ４を用いて、物理アンテナ０，４から自端末までのそれぞれの伝搬路を分離してチャネル推定を行うことができる。同様に、LTE+端末
は、Ｒ１およびＲ５を用いて、物理アンテナ１，５からLTE+端末までのそれぞれの伝搬路を分離してチャネル推定を行うことができ、Ｒ２およびＲ６を用いて、物理アンテナ２，６からLTE+端末までのそれぞれの伝搬路を分離してチャネル推定を行うことができ、Ｒ３およびＲ７を用いて、物理アンテナ３，７からLTE+端末までのそれぞれの伝搬路を分離してチャネル推定を行うことができる。すなわち、基地局は、２本の物理アンテナから、互いに直交する重み付けがかけられた２つのセル固有ＲＳを送信する。本発明では、このようなＲＳ送信方法を用いる場合でも、上記実施の形態と同様の効果を得ることができる。
【０２２７】
また、上記実施の形態では、LTE+端末が高次ＭＩＭＯ（８アンテナＭＩＭＯ）を用いる場合について説明したが、これに限らず、受信側（LTE+端末）で3GPP-LTEよりも多くのアンテナ用の参照信号を受信する場合、例えば、複数基地局から送信される参照信号を受信する動作に対しても本発明を適用することができる。例えば、上記実施の形態では１つの基地局が８アンテナを構成したのに対し、複数の基地局で８アンテナを構成する場合でも本発明を適用することができる。また、上記実施の形態では、3GPP-LTEを４アンテナとして、高次ＭＩＭＯを、3GPP-LTEに対してさらに４アンテナ追加して合計８アンテナとした場合を一例として示した。しかし、本発明は、これに限らず、3GPP-LTEを２アンテナとし、高次ＭＩＭＯを、3GPPLTEに対してさらに２アンテナ追加して合計４アンテナとしてもよい。または、上記の双方の組み合わせとしてもよく、3GPP-LTEを２アンテナまたは４アンテナとし、高次ＭＩＭＯを、3GPP-LTEに対して２アンテナ追加または４アンテナ追加としてもよい。または、3GPP-LTEを２アンテナとし、高次ＭＩＭＯを3GPPLTEに対してさらに６アンテナ追加して合計８アンテナとしてもよい。
【０２２８】
また、アンテナポートの概念を用いる場合には、実際の物理アンテナが８本だとしても、3GPP-LTE向けのセル固有ＲＳ（LTE端末およびLTE+端末の双方で用いるセル固有ＲＳ）に対して４アンテナポートを定義し、高次ＭＩＭＯ向けセル固有ＲＳ（LTE+端末のみで用いるセル固有ＲＳ）に対して別の８アンテナポートを定義してもよい。この場合、例えば、基地局は、3GPP-LTE向けのセル固有ＲＳにはアンテナポートあたり２つの物理アンテナにより重み付けして送信し、高次ＭＩＭＯ向けのセル固有ＲＳには各アンテナから重み付けなしで送信するという運用が可能である。
【０２２９】
また、セル固有ＲＳはそのセルの報知情報（PBCH）またはPDCCHの復調に用いられるＲＳとして定義してもよく、端末固有ＲＳは端末への送信データの復調に用いられるＲＳとして定義してもよい。
【０２３０】
また、周波数領域と時間領域との間の変換を行う方法は、ＩＦＦＴ、ＦＦＴに限られない。
【０２３１】
また、本発明は、基地局および端末だけでなく、すべての無線通信装置に対して適用することができる。
【０２３２】
また、上記実施の形態ではアンテナとして説明したが、本発明はアンテナポートでも同様に適用できる。
【０２３３】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０２３４】
例えば3GPP-LTEにおいては、アンテナポートが何本の物理アンテナから構成されるかは規定されず、基地局が異なる参照信号（Reference signal）を送信できる最小単位として規定されている。
【０２３５】
また、アンテナポートはプリコーディングベクトル（Precoding vector）の重み付けを乗算する最小単位として規定されることもある。
【０２３６】
また、ＣＱＩ及びＰＭＩを合わせてＣＳＩ（Channel State Information）と呼ぶこともある。上記実施の形態におけるＬＴＥ＋端末のみで用いるセル固有ＲＳはＣＱＩ及びＰＭＩの測定を目的とするため、ＣＳＩ−ＲＳと呼ばれることもある。
【０２３７】
また、上記実施の形態では、本発明をハードウェアで構成する場合を例にとって説明したが、本発明はソフトウェアで実現することも可能である。
【０２３８】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２３９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０２４０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２４１】
２００９年１月２９日出願の特願２００９−０１８２８４の日本出願に含まれる明細書、図面および要約書の開示内容は、すべて本願に援用される。
【産業上の利用可能性】
【０２４２】
本発明は、移動体通信システム等に適用することができる。
【図１】
0005576301.tif 000002
【図２】
0005576301.tif 000003
【図３】
0005576301.tif 000004
【図４】
0005576301.tif 000005
【図５】
0005576301.tif 000006
【図６】
0005576301.tif 000007
【図７】
0005576301.tif 000008
【図８】
0005576301.tif 000009
【図９】
0005576301.tif 000010
【図１０】
0005576301.tif 000011
【図１１】
0005576301.tif 000012
【図１２】
0005576301.tif 000013
【図１３】
0005576301.tif 000014
【図１４】
0005576301.tif 000015
【図１５】
0005576301.tif 000016
【図１６】
0005576301.tif 000017
【図１７】
0005576301.tif 000018
【図１８】
0005576301.tif 000019
【図１９】
0005576301.tif 000020
【図２０】
0005576301.tif 000021
【図２１】
0005576301.tif 000022
【図２２】
0005576301.tif 000023
【図２３】
0005576301.tif 000024
【図２４】
0005576301.tif 000025
【図２５】
0005576301.tif 000026